(57)【特許請求の範囲】
【請求項１】
情報を記憶するＩＣ回路部とこのＩＣ回路部に接続されるタグ側アンテナとを有する複数の無線タグ回路素子を、所定順序で連続的に供給可能に収容したタグ集合体であって、
前記複数の無線タグ回路素子のうち、先行して供給される第１無線タグ回路素子の前記ＩＣ回路部に、前記第１無線タグ回路素子よりも後の順序で供給される第２無線タグ回路素子のタグ特性値に関わる情報を記憶させたことを特徴とするタグ集合体。
【請求項２】
請求項１記載のタグ集合体において、
前記無線タグ回路素子をテープ長手方向に連続的に複数個配置したタグテープと、このタグテープをその外周側に巻回するリール部材とを備えたタグテープロールとして構成されていることを特徴とするタグ集合体。
【請求項３】
請求項１記載のタグ集合体において、
前記無線タグ回路素子をテープ長手方向に連続的に複数個配置したタグテープと、このタグテープをその外周側に巻回するリール部材と、それらタグテープ及びリール部材を内包するカートリッジ側筐体とを備えたカートリッジとして構成されていることを特徴とするタグ集合体。
【請求項４】
請求項２又は請求項３記載のタグ集合体において、
前記無線タグ回路素子はテープ幅方向に複数列配置され、各無線タグ回路素子列は、テープ長手方向一列に配置された複数の前記無線タグ回路素子のテープ長手方向位置が互いに重ならないようにずらして配置されており、
前記第１無線タグ回路素子の前記ＩＣ回路部に、前記第２無線タグ回路素子の前記タグ側アンテナのテープ幅方向位置に関わる情報を記憶させたことを特徴とするタグ集合体。
【請求項５】
請求項１記載のタグ集合体において、
前記複数の無線タグ回路素子がそれぞれ設けられた平紙状の複数のラベル素材と、これら複数の平紙状のラベル素材を平積み方向に積層して収納するトレイ部材とを備えた略トレイ型のカートリッジとして構成されていることを特徴とするタグ集合体。
【請求項６】
請求項１乃至請求項５のいずれか１項に記載のタグ集合体において、
前記第１無線タグ回路素子の前記ＩＣ回路部に、前記第２無線タグ回路素子のタグ特性値に関わる情報として、前記第２無線タグ回路素子の感度に関わる情報を記憶させたことを特徴とするタグ集合体。
【請求項７】
請求項６記載のタグ集合体において、
前記タグ集合体に収容された複数の前記無線タグ回路素子のうちの最初に供給される前記無線タグ回路素子の感度に関わる情報を媒介する情報媒体を備えたことを特徴とするタグ集合体。
【請求項８】
請求項７記載のタグ集合体において、
前記情報媒体は、前記タグ集合体に備えられ、前記最初に供給される無線タグ回路素子の感度に関わる情報を前記ＩＣ回路部に記憶させた初回タグ記憶用無線タグ回路素子であることを特徴とするタグ集合体。
【請求項９】
請求項６記載のタグ集合体において、
前記タグ集合体に収容された複数の前記無線タグ回路素子のうちの最初に供給される前記無線タグ回路素子の感度に関わる情報を、当該最初に供給される前記無線タグ回路素子の前記ＩＣ回路部に記憶させたことを特徴とするタグ集合体。
【請求項１０】
請求項１乃至請求項９のいずれか１項記載のタグ集合体において、
前記無線タグ回路素子の感度に関わる情報は、情報の書き込みを行う際の感度に関わる情報であることを特徴とするタグ集合体。
【請求項１１】
請求項１乃至請求項１０のいずれか１項記載のタグ集合体において、
前記第１無線タグ回路素子の前記ＩＣ回路部に、前記タグ集合体に収容された複数の前記無線タグ回路素子のうちの供給可能な前記無線タグ回路素子の残数に関わる情報を記憶させたことを特徴とするタグ集合体。
【請求項１２】
請求項１乃至請求項１１のいずれか１項記載のタグ集合体において、
前記第１無線タグ回路素子の前記ＩＣ回路部に、前記第２無線タグ回路素子との通信開始時に送出するプリアンブル数に関わる情報を記憶させたことを特徴とするタグ集合体。
【請求項１３】
請求項１乃至請求項１２のいずれか１項記載のタグ集合体において、
前記第１無線タグ回路素子の前記ＩＣ回路部に、前記第２無線タグ回路素子のタグ識別情報に関わる情報の少なくとも一部を記憶させたことを特徴とするタグ集合体。
【請求項１４】
請求項１乃至請求項１３のいずれか１項記載のタグ集合体において、
前記第１無線タグ回路素子の前記ＩＣ回路部に、前記第２無線タグ回路素子の前記タグ特性値に関わる情報、前記残数に関わる情報、又は前記第２無線タグ回路素子のタグ識別情報を少なくとも一部に有する前記第１無線タグ回路素子に関する前記タグ識別情報を記憶させたことを特徴とするタグ集合体。
【請求項１５】
請求項１乃至請求項１４のいずれか１項記載のタグ集合体において、
前記タグ集合体に収容された複数の前記無線タグ回路素子のうちの最後に供給される前記無線タグ回路素子の前記ＩＣ回路部に、当該無線タグ回路素子が最終タグであることを示す情報を記憶させたことを特徴とするタグ集合体。
【請求項１６】
請求項１５記載のタグ集合体において、
前記最終タグであることを示す情報を、前記最後に供給される無線タグ回路素子の前記ＩＣ回路部に、前記タグ特性値に関わる情報の代わりに記憶させたことを特徴とするタグ集合体。
【請求項１７】
装置側筐体と、
この装置側筐体に設けられ、情報を記憶するＩＣ回路部とこのＩＣ回路部に接続されるタグ側アンテナとを有する複数の無線タグ回路素子を、所定順序で連続的に供給可能に収容し、前記複数の無線タグ回路素子のうち、先行して供給される第１無線タグ回路素子の前記ＩＣ回路部に、前記第１無線タグ回路素子よりも後の順序で供給される第２無線タグ回路素子のタグ特性値に関わる情報を記憶させたタグ集合体を装着可能なタグ集合体装着部と、
前記無線タグ回路素子に備えられたＩＣ回路部との間で無線通信により情報の送受信を行う装置側アンテナと、
前記無線タグ回路素子の前記ＩＣ回路部へのアクセス情報を生成するアクセス情報生成手段と、
このアクセス情報生成手段で生成した前記アクセス情報を、前記装置側アンテナを介して非接触で前記無線タグ回路素子に備えられたタグ側アンテナに送信し、前記ＩＣ回路部へのアクセスを行う情報送信手段と、
前記第１無線タグ回路素子の前記ＩＣ回路部に記憶された第２無線タグ回路素子のタグ特性値に関わる情報を読み取る第１読み取り手段と、
この第１読み取り手段で読み取った前記第２無線タグ回路素子のタグ特性値に関わる情報を記憶させる記憶手段と、
この記憶手段に記憶させた前記タグ特性値に関わる情報に合致するように、前記情報送信手段から前記第２無線タグ回路素子への送信態様を制御する送信制御手段と
を有することを特徴とするタグラベル作成装置。
【請求項１８】
請求項１７記載のタグラベル作成装置において、
前記タグ集合体が前記タグ集合体装着部に装着されているか否かを検出するタグ集合体検出手段を有し、
前記タグ集合体検出手段により前記タグ集合体が前記タグ集合体装着部に装着されたことを検出した場合に、前記タグ集合体に収容された複数の前記無線タグ回路素子のうちの最初に供給される前記無線タグ回路素子の前記タグ特性値に関わる情報を、前記タグ集合体に備えられた初回タグ記憶用無線タグ回路素子の前記ＩＣ回路部から読み取る第２読み取り手段を有することを特徴とするタグラベル作成装置。
【請求項１９】
請求項１８記載のタグラベル作成装置において、
前記タグ集合体を前記タグ集合体装着部から取り外す操作が行われたかどうかを検出するタグ集合体脱着操作検出手段を有し、
前記タグ集合体脱着操作検出手段により前記タグ集合体を取り外す操作が行われたことを検出した場合に、前記情報送信手段は、前記初回タグ記憶用無線タグ回路素子の前記ＩＣ回路部に前記アクセス情報を送信し、前記記憶手段に記憶された前記タグ特性値に関わる情報の書き込みを行うことを特徴とするタグラベル作成装置。
【請求項２０】
請求項１９記載のタグラベル作成装置において、
前記タグ集合体検出手段により前記タグ集合体が前記タグ集合体装着部に装着されたことを検出した場合に、前記記憶手段に記憶された前記タグ特性値に関わる情報と前記第２読み取り手段で前記初回タグ記憶用無線タグ回路素子から読み取った前記タグ特性値に関わる情報とが同一であるか否かを判定する第１カートリッジ同一性判定手段を有することを特徴とするタグラベル作成装置。
【請求項２１】
請求項１７乃至請求項２０のいずれか１項記載のタグラベル作成装置において、
電源が投入されたことを検出する電源投入検出手段を有し、
前記第２読み取り手段は、前記電源投入検出手段で電源が投入されたことを検出した場合に、最初に供給される前記無線タグ回路素子の前記タグ特性値に関わる情報を前記初回タグ記憶用無線タグ回路素子のＩＣ回路部から読み取ることを特徴とするタグラベル作成装置。
【請求項２２】
請求項２１記載のタグラベル作成装置において、
電源の遮断操作がなされたことを検出する電源遮断操作検出手段を有し、
前記電源遮断操作検出手段により電源の遮断操作がなされたことを検出した場合に、前記情報送信手段は、前記初回タグ記憶用無線タグ回路素子の前記ＩＣ回路部に前記アクセス情報を送信し、前記記憶手段に記憶された前記タグ特性値に関わる情報の書き込みを行うことを特徴とするタグラベル作成装置。
【請求項２３】
請求項１７乃至請求項２２のいずれか１項記載のタグラベル作成装置において、
前記装置側アンテナは、前記無線タグ回路素子の前記ＩＣ回路部との間で無線通信により情報の送受信を行う第１装置側アンテナと、前記初回タグ記憶用無線タグ回路素子の前記ＩＣ回路部との間で無線通信により情報の送受信を行う第２装置側アンテナとを備えており、
前記アクセス情報生成手段で生成した前記アクセス情報を送信するアンテナを前記第１装置側アンテナ又は前記第２装置側アンテナに切り替えるアンテナ切替手段を有することを特徴とするタグラベル作成装置。
【発明の詳細な説明】
【技術分野】
【０００１】
本発明は、外部より無線通信を介し無線タグ情報の読み取り又は書き込みを行える無線タグ回路素子を収容するタグ集合体及びこれを用いて無線タグラベルを作成するタグラベル作成装置に関する。
【背景技術】
【０００２】
小型の無線タグとリーダ（読み取り装置）／ライタ（書き込み装置）との間で非接触で情報の読み取り／書き込みを行うＲＦＩＤ（Radio Frequency Identification）システムが知られている。例えばラベル状の無線タグに備えられた無線タグ回路素子は、所定の無線タグ情報を記憶するＩＣ回路部とこのＩＣ回路部に接続されて情報の送受信を行うアンテナとを備えており、無線タグが汚れている場合や見えない位置に配置されている場合であっても、リーダ／ライタ側よりＩＣ回路部の無線タグ情報に対してアクセス（情報の読み取り／書き込み）が可能であり、商品管理や検査工程等の様々な分野において実用が期待されている。
【０００３】
例えば、このような無線タグ回路素子に対し情報の書き込みを行うライタ（プリンタ）としては、特許文献１に記載のものが知られている。この従来技術では、所定間隔で長方形状のラベル片(ＲＦＩＤラベル)が貼り付けられた帯状のタグテープ（台紙）がタグテープロール（供給軸）から繰り出され、搬送経路を搬送される際に、印字手段（インクジェット記録ヘッド）によって、書き込まれる無線タグ情報に対応した印字情報がＲＦＩＤラベル表面に印字される。ラベル片はその後搬送方向下流側に搬送され、各ラベル片に内蔵された無線タグ回路素子のアンテナに対し、装置側で生成した所定の無線タグ情報が送信され、アンテナに接続されたＩＣ回路部（ＩＣチップ）に順次書き込まれる。このようにして、無線タグラベルが完成するようになっている。
【０００４】
そして、各無線タグ回路素子に対し無線タグ情報の書き込みを行う際に書き込みエラーが発生した場合には、書き込みを中止するとともにタグテープを反対方向に搬送して戻し、正常に書き込みが行えるようにタグテープの搬送速度の再設定を行った上で、書き込みを失敗した無線タグ回路素子に対し再書き込みを行う。このように搬送速度を変更して再書き込みをすることにより、確実な書き込みを可能とするようになっている。
【０００５】
【特許文献１】特開２００３−２０８５７３号公報
【発明の開示】
【発明が解決しようとする課題】
【０００６】
上記従来技術には以下の課題が存在する。
【０００７】
一般に、無線タグ回路素子の製造時において、実際には、各無線タグ回路素子ごとの通信感度やＩＣ回路部のメモリ書込電圧、書込時間などのアクセス条件等のタグ特性値データは、本来の設計仕様値の前後にある程度のばらつきが生じる。このようなタグ特性値のばらつきが原因となって書き込み時にエラーが発生した場合、上記従来技術ではタグテープの搬送速度を設定変更することで対応するが、例えば通信感度が低い無線タグ回路素子への書き込み時にエラーが発生した場合には、書き込み時の搬送速度が遅く設定された状態でその後の無線タグ回路素子に対し書き込みが行われることになる。その結果、その後の無線タグ回路素子の通信感度が高い場合であってもエラーが発生しなければ遅い搬送速度のまま書き込みが行われることになり、無線タグラベルの作成速度が低下する。また、エラーが頻発するような場合にはテープ搬送の逆戻しが頻繁に行われることになるため、これによっても無線タグラベルの作成速度が低下することになる。
【０００８】
本発明の目的は、無線タグラベルを高速に作成できるタグ集合体及びタグラベル作成装置を提供することにある。
【課題を解決するための手段】
【０００９】
上記目的を達成するために、第１の発明は、情報を記憶するＩＣ回路部とこのＩＣ回路部に接続されるタグ側アンテナとを有する複数の無線タグ回路素子を、所定順序で連続的に供給可能に収容したタグ集合体であって、前記複数の無線タグ回路素子のうち、先行して供給される第１無線タグ回路素子の前記ＩＣ回路部に、前記第１無線タグ回路素子よりも後の順序で供給される第２無線タグ回路素子のタグ特性値に関わる情報を記憶させたことを特徴とする。
【００１０】
本願第１発明のタグ集合体においては、複数の無線タグ回路素子が所定順序で供給可能に配置されており、例えばタグラベル作成装置において上記所定順序で供給される各無線タグ回路素子へ送受信を行い情報読み取り又は書き込みを行うことで、連続的に無線タグラベルを作成する。このとき、それら複数の無線タグ回路素子において、先行する第１無線タグ回路素子のＩＣ回路部に、後の順序の第２無線タグ回路素子のタグ特性値情報（タグ感度情報やＩＣ回路部メモリ容量情報等）に関わる情報が記憶されている。したがって、第２無線タグ回路素子への情報読み取り又は書き込みを行う際に、予めこれより前に対応する第１無線タグ回路素子より読み出された当該第２無線タグ回路素子のタグ特性値情報を用いることで、当該特性値情報に合致した態様で通信を行うことが可能となる。この結果、タグ集合体の製造時において、複数の無線タグ回路素子それぞれのタグ特性値データにばらつきが生じていたとしても、各無線タグ回路素子ごとに通信態様を制御して最適な通信態様を実現することができる。これにより、不適切な条件での書込みがなくなり、書込みエラーによる再書込み等が不要となり、条件を試行錯誤することがないので高速なタグ作成が可能となる。また、全無線タグ回路素子にて一律のタグ特性値データにて通信を行う場合に比べて、エネルギの無駄や通信上の悪影響の発生を防止できるという効果もある。
【００１１】
第２の発明は、上記第１発明において、前記無線タグ回路素子をテープ長手方向に連続的に複数個配置したタグテープと、このタグテープをその外周側に巻回するリール部材とを備えたタグテープロールとして構成されていることを特徴とする。
【００１２】
本願第２発明においては、タグテープロールから繰り出したタグテープのテープ長手方向に配置される各無線タグ回路素子に対し送受信を行い情報の読み取り又は書き込みを行うことで、連続的に無線タグラベルを作成する。このとき、それらタグテープに配置される複数の無線タグ回路素子において、タグテープロールより先行して繰り出される第１無線タグ回路素子のＩＣ回路部に、後に繰り出される第２無線タグ回路素子のタグ特性値情報に関わる情報が記憶されている。したがって、第２無線タグ回路素子への情報読み取り又は書き込みを行う際に、予めこれより前に対応する第１無線タグ回路素子より読み出された当該第２無線タグ回路素子のタグ特性値情報を用いることで、当該特性値情報に合致した態様で通信を行うことが可能となる。
【００１３】
第３の発明は、上記第１発明において、前記無線タグ回路素子をテープ長手方向に連続的に複数個配置したタグテープと、このタグテープをその外周側に巻回するリール部材と、それらタグテープ及びリール部材を内包するカートリッジ側筐体とを備えたカートリッジとして構成されていることを特徴とする。
【００１４】
本願第３発明においては、カートリッジ側筐体に内包されるリール部材に巻き回されたタグテープがカートリッジから繰り出され、このタグテープのテープ長手方向に配置される各無線タグ回路素子に対し送受信を行い情報の読み取り又は書き込みを行うことで、連続的に無線タグラベルを作成する。このとき、それらタグテープに配置される複数の無線タグ回路素子において、カートリッジより先行して繰り出される第１無線タグ回路素子のＩＣ回路部に、後に繰り出される第２無線タグ回路素子のタグ特性値情報に関わる情報が記憶されている。したがって、第２無線タグ回路素子への情報読み取り又は書き込みを行う際に、予めこれより前に対応する第１無線タグ回路素子より読み出された当該第２無線タグ回路素子のタグ特性値情報を用いることで、当該特性値情報に合致した態様で通信を行うことが可能となる。
【００１５】
第４の発明は、上記第２又は第３の発明において、前記無線タグ回路素子はテープ幅方向に複数列配置され、各無線タグ回路素子列は、テープ長手方向一列に配置された複数の前記無線タグ回路素子のテープ長手方向位置が互いに重ならないようにずらして配置されており、前記第１無線タグ回路素子の前記ＩＣ回路部に、前記第２無線タグ回路素子の前記タグ側アンテナのテープ幅方向位置に関わる情報を記憶させたことを特徴とする。
【００１６】
本願第４発明においては、タグテープロール又はカートリッジから繰り出したタグテープのテープ長手方向に配置される各無線タグ回路素子に対し送受信を行い情報の読み取り又は書き込みを行うことで、連続的に無線タグラベルを作成する。ここで、各無線タグ回路素子に対し送受信を行う装置側アンテナが例えばタグテープのテープ幅方向の一方側に位置する場合、この装置側アンテナとタグテープに千鳥配置されている各無線タグ回路素子との距離が、各無線タグ回路素子ごとに異なることになる。
【００１７】
このとき、本願第４発明においては、第１無線タグ回路素子のＩＣ回路部に、第２無線タグ回路素子のタグ側アンテナのテープ幅方向位置に関わる情報を記憶させている。これにより、無線タグラベル作成時において、第２無線タグ回路素子への情報読み取り又は書き込みを行う際に、予めこれより前に対応する第１無線タグ回路素子より読み出された当該第２無線タグ回路素子のタグ側アンテナのテープ幅方向位置に関わる情報を用いることで、装置側アンテナと第２無線タグ回路素子のタグ側アンテナとの距離に合致した通信態様で通信を行うことが可能となる。
【００１８】
第５の発明は、上記第１発明において、前記複数の無線タグ回路素子がそれぞれ設けられた平紙状の複数のラベル素材と、これら複数の平紙状のラベル素材を平積み方向に積層して収納するトレイ部材とを備えた略トレイ型のカートリッジとして構成されていることを特徴とする。
【００１９】
本願第５発明においては、トレイ型カートリッジから取り出された平紙状の各ラベル素材に配置される無線タグ回路素子に対し送受信を行い情報の読み取り又は書き込みを行うことで、連続的に無線タグラベルを作成する。このとき、それら積層された複数のラベル素材に配置される複数の無線タグ回路素子において、トレイ型カートリッジより先行して取り出されるラベル素材の第１無線タグ回路素子のＩＣ回路部に、後に取り出されるラベル素材の第２無線タグ回路素子のタグ特性値情報に関わる情報が記憶されている。したがって、第２無線タグ回路素子への情報読み取り又は書き込みを行う際に、予めこれより前に対応する第１無線タグ回路素子より読み出された当該第２無線タグ回路素子のタグ特性値情報を用いることで、当該特性値情報に合致した態様で通信を行うことが可能となる。
【００２０】
第６の発明は、上記第１乃至第５発明のいずれかにおいて、前記第１無線タグ回路素子の前記ＩＣ回路部に、前記第２無線タグ回路素子のタグ特性値に関わる情報として、前記第２無線タグ回路素子の感度に関わる情報を記憶させたことを特徴とする。
【００２１】
これにより、タグラベル作成装置においてタグ集合体から所定順序で供給される各無線タグ回路素子へ送受信を行い情報読み取り又は書き込みを行うことで、連続的に無線タグラベルを作成する場合において、後の順序の第２無線タグ回路素子への情報読み取り又は書き込みを行う際に、予めこれより前に対応する第１無線タグ回路素子より読み出された当該第２無線タグ回路素子の感度に関わる情報を用いることで、当該無線タグ回路素子の感度に合致した送信出力で通信を行うことが可能となる。
【００２２】
第７の発明は、上記第６発明において、前記タグ集合体に収容された複数の前記無線タグ回路素子のうちの最初に供給される前記無線タグ回路素子の感度に関わる情報を媒介する情報媒体を備えたことを特徴とする。
【００２３】
本願第７発明のタグ集合体においては、複数の無線タグ回路素子が所定順序で供給可能に配置されており、例えばタグラベル作成装置において上記所定順序で供給される各無線タグ回路素子へ送受信を行い情報読み取り又は書き込みを行うことで、連続的に無線タグラベルを作成する。このとき、タグ集合体には、このタグ集合体に収容された複数の無線タグ回路素子のうちの最初に供給される無線タグ回路素子の感度に関わる情報を媒介する情報媒体が設けられている。したがって、タグ集合体より最初に供給される無線タグ回路素子に対し情報の読み取り又は書き込みを行う際に、予めこれより前に情報媒体の感度情報を用いることで、タグ集合体より最初に供給される無線タグ回路素子に対し当該タグの感度に合致した送信出力で通信を行うことが可能となる。
【００２４】
第８の発明は、上記第７発明において、前記情報媒体は、前記タグ集合体に備えられ、前記最初に供給される無線タグ回路素子の感度に関わる情報を前記ＩＣ回路部に記憶させた初回タグ記憶用無線タグ回路素子であることを特徴とする。
【００２５】
これにより、タグ集合体より最初に供給される無線タグ回路素子に対し情報の読み取り又は書き込みを行う際に、予めこれより前に初回タグ記憶用無線タグ回路素子に記憶された感度情報を用いることで、タグ集合体より最初に供給される無線タグ回路素子に対し当該タグの感度に合致した送信出力で通信を行うことが可能となる。また、このように最初に供給される無線タグ回路素子の感度に関わる情報を媒介する情報媒体として無線タグ回路素子を用いることで、情報の書き換えを自在に行うことができ、例えばカートリッジ内のタグテープロールを交換したような場合であっても、適宜感度情報の書き換えを行い対応することが可能となる。
【００２６】
第９の発明は、上記第６発明において、前記タグ集合体に収容された複数の前記無線タグ回路素子のうちの最初に供給される前記無線タグ回路素子の感度に関わる情報を、当該最初に供給される前記無線タグ回路素子の前記ＩＣ回路部に記憶させたことを特徴とする。
【００２７】
本願第９発明のタグ集合体においては、複数の無線タグ回路素子が所定順序で供給可能に配置されており、例えばタグラベル作成装置において上記所定順序で供給される各無線タグ回路素子へ送受信を行い情報読み取り又は書き込みを行うことで、連続的に無線タグラベルを作成する。このとき、タグ集合体より最初に供給される無線タグ回路素子のＩＣ回路部に、当該無線タグ回路素子の感度に関わる情報が記憶されている。ここで、当該感度情報として、例えば最初に供給される無線タグ回路素子のＩＣ回路部に対し情報の書き込みを行う際の感度に関わる情報を記憶させておくことにより、タグ集合体より最初に供給される無線タグ回路素子に対し情報の書き込みを行う際に、予めこれより前に当該書き込み時のタグ感度情報を読み取り用いることで、当該最初に供給される無線タグ回路素子の感度に合致した送信出力で書き込みを行うことが可能となる。
【００２８】
第１０の発明は、上記第９発明において、前記最初に供給される無線タグ回路素子の感度に関わる情報は、情報の書き込みを行う際の感度に関わる情報であることを特徴とする。
【００２９】
これにより、タグ集合体より最初に供給される無線タグ回路素子に対し情報の書き込みを行う際に、予めこれより前に当該無線タグ回路素子のＩＣ回路部に記憶された書き込み時のタグ感度情報を読み取り用いることで、当該最初に供給される無線タグ回路素子に対しタグ感度に合致した送信出力で書き込みを行うことができる。また、読み取り時よりも許容範囲の狭い書込み時のタグ感度情報を用いることで無線タグ回路素子に対しタグ感度に合致した送信出力で書き込みを行うことができる。
【００３０】
第１１の発明は、上記第１乃至第１０発明のいずれかにおいて、前記第１無線タグ回路素子の前記ＩＣ回路部に、前記タグ集合体に収容された複数の前記無線タグ回路素子のうちの供給可能な前記無線タグ回路素子の残数に関わる情報を記憶させたことを特徴とする。
【００３１】
これにより、無線タグラベル作成時において、第１無線タグ回路素子のＩＣ回路部から第２無線タグ回路素子のタグ特性値情報とともに残数に関わる情報を読み取ることができる。この結果、タグラベルを作成しつつタグ集合体における残りの供給可能な無線タグ回路素子の残数を把握することが可能となる。
【００３２】
第１２の発明は、上記第１乃至第１１発明のいずれかにおいて、前記第１無線タグ回路素子の前記ＩＣ回路部に、前記第２無線タグ回路素子との通信開始時に送出するプリアンブル数に関わる情報を記憶させたことを特徴とする。
【００３３】
これにより、タグ集合体の製造時において、複数の無線タグ回路素子それぞれのタグ充電時定数にばらつきが生じていたとしても、各無線タグ回路素子ごとにプリアンブル数を制御して最適な通信態様を実現することができる。この結果、全無線タグ回路素子に対して一律のプリアンブル数にて通信を行う場合に比べて、不必要なプリアンブルを送出する必要がなくなり、無線タグラベルの作成に要する時間を短縮できる。
【００３４】
第１３の発明は、上記第１乃至第１２発明のいずれかにおいて、前記第１無線タグ回路素子の前記ＩＣ回路部に、前記第２無線タグ回路素子のタグ識別情報に関わる情報の少なくとも一部を記憶させたことを特徴とする。
【００３５】
これにより、無線タグラベル作成時において、予め第１無線タグ回路素子のＩＣ回路部から読み出した第２無線タグ回路素子のタグ識別情報を用い、当該第２無線タグ回路素子以外の無線タグ回路素子をスリープさせた上で、第２無線タグ回路素子のみへの情報読み取り又は書き込みを行うことが可能となる。この結果、読み取り又は書き込み対象である無線タグ回路素子に対し、確実に読み取り又は書き込みを行うことができる。
【００３６】
第１４の発明は、上記第１乃至第１３発明のいずれかにおいて、前記第１無線タグ回路素子の前記ＩＣ回路部に、前記第２無線タグ回路素子の前記タグ特性値に関わる情報、前記残数に関わる情報、又は前記第２無線タグ回路素子のタグ識別情報を少なくとも一部に有する前記第１無線タグ回路素子に関する前記タグ識別情報を記憶させたことを特徴とする。
【００３７】
このように、第１無線タグ回路素子のＩＣ回路部に記憶されたタグ識別情報の少なくとも一部と、第２無線タグ回路素子のタグ特性値に関わる情報、タグの残数情報、又は第２無線タグ回路素子の識別情報とを共用させることにより、書込み対象である第１無線タグ回路素子の識別情報を取得すると同時に第２無線タグのタグ特性値に関わる情報も取得できるので、改めてタグ特性値に関わる情報を読み出す必要がなくなり、より高速に無線タグラベルを作成できる。また、無線タグ回路素子のＩＣ回路部のメモリの使用量を節約できる。
【００３８】
第１５の発明は、上記第１乃至第１４発明のいずれかにおいて、前記タグ集合体に収容された複数の前記無線タグ回路素子のうちの最後に供給される前記無線タグ回路素子の前記ＩＣ回路部に、当該無線タグ回路素子が最終タグであることを示す情報を記憶させたことを特徴とする。
【００３９】
これにより、無線タグラベル作成時において、最後に供給される無線タグ回路素子のＩＣ回路部にアクセスした際に、当該無線タグ回路素子が最終のタグであることを把握することができる。
【００４０】
第１６の発明は、上記第１５発明において、前記最終タグであることを示す情報を、前記最後に供給される無線タグ回路素子の前記ＩＣ回路部に、前記タグ特性値に関わる情報の代わりに記憶させたことを特徴とする。
【００４１】
タグ集合体に収容される複数の無線タグ回路素子のうちの最後に供給される無線タグ回路素子のＩＣ回路部には、その後の無線タグ回路素子が存在しないため、タグ特性値に関わる情報を記憶させる必要がない。したがって、そのタグ特性値に関わる情報の代わりに最終タグであることを示す情報を記憶させることで、メモリ容量を消費することなく有効に使用することができる。また、カートリッジ交換等、適切な準備を行うよう利用者に予め報知することができる。
【００４２】
上記目的を達成するために、第１７の発明は、装置側筐体と、この装置側筐体に設けられ、情報を記憶するＩＣ回路部とこのＩＣ回路部に接続されるタグ側アンテナとを有する複数の無線タグ回路素子を、所定順序で連続的に供給可能に収容し、前記複数の無線タグ回路素子のうち、先行して供給される第１無線タグ回路素子の前記ＩＣ回路部に、前記第１無線タグ回路素子よりも後の順序で供給される第２無線タグ回路素子のタグ特性値に関わる情報を記憶させたタグ集合体を装着可能なタグ集合体装着部と、前記無線タグ回路素子に備えられたＩＣ回路部との間で無線通信により情報の送受信を行う装置側アンテナと、前記無線タグ回路素子の前記ＩＣ回路部へのアクセス情報を生成するアクセス情報生成手段と、このアクセス情報生成手段で生成した前記アクセス情報を、前記装置側アンテナを介して非接触で前記無線タグ回路素子に備えられたタグ側アンテナに送信し、前記ＩＣ回路部へのアクセスを行う情報送信手段と、前記第１無線タグ回路素子の前記ＩＣ回路部に記憶された第２無線タグ回路素子のタグ特性値に関わる情報を読み取る第１読み取り手段と、この第１読み取り手段で読み取った前記第２無線タグ回路素子のタグ特性値に関わる情報を記憶させる記憶手段と、この記憶手段に記憶させた前記タグ特性値に関わる情報に合致するように、前記情報送信手段から前記第２無線タグ回路素子への送信態様を制御する送信制御手段とを有することを特徴とする。
【００４３】
本願第１７発明のタグラベル作成装置においては、タグ集合体装着部に装着されたタグ集合体に複数の無線タグ回路素子が所定順序で供給可能に配置されており、このタグ集合体から所定順序で供給される各無線タグ回路素子に対し、アクセス情報生成手段で生成したアクセス情報を情報送信手段によって装置側アンテナを介し上記各無線タグ回路素子のタグ側アンテナに送信することによって、ＩＣ回路部への情報読み取り又は書き込みを行うことで、連続的に無線タグラベルを作成する。このとき、タグ集合体に収容される複数の無線タグ回路素子において、先行する第１無線タグ回路素子のＩＣ回路部に、後の順序の第２無線タグ回路素子のタグ特性値情報（タグ感度情報やＩＣ回路部メモリ容量情報等）に関わる情報が記憶されている。したがって、第２無線タグ回路素子への情報読み取り又は書き込みを行う際に、予めこれより前に第１読み取り手段によって対応する第１無線タグ回路素子より読み出され記憶手段で記憶された当該第２無線タグ回路素子のタグ特性値情報を用いることで、当該特性値情報に合致した態様で通信を行うことができる。この結果、全無線タグ回路素子にて一律のタグ特性値データにて通信を行う場合に比べて、条件が適切でないために起こる書き込み失敗が防止でき、その結果、高速に無線タグラベルの作成を行うことが可能となる。また、エネルギの無駄の発生を防止できる効果もある。
【００４４】
第１８の発明は、上記第１７発明において、前記タグ集合体が前記タグ集合体装着部に装着されているか否かを検出するタグ集合体検出手段を有し、前記タグ集合体検出手段により前記タグ集合体が前記タグ集合体装着部に装着されたことを検出した場合に、前記タグ集合体に収容された複数の前記無線タグ回路素子のうちの最初に供給される前記無線タグ回路素子の前記タグ特性値に関わる情報を、前記タグ集合体に備えられた初回タグ記憶用無線タグ回路素子の前記ＩＣ回路部から読み取る第２読み取り手段を有することを特徴とする。
【００４５】
これにより、無線タグラベル作成時において、タグ集合体より最初に供給される無線タグ回路素子に対し情報の読み取り又は書き込みを行う際に、予めこれより前のタグ集合体装着時に第２読み取り手段で初回タグ記憶用無線タグ回路素子に記憶されたタグ特性値情報を読み取りその情報を用いることで、タグ集合体より最初に供給される無線タグ回路素子に対し当該特性値情報に合致した態様で通信を行うことができる。
【００４６】
第１９の発明は、上記第１８発明において、前記タグ集合体を前記タグ集合体装着部から取り外す操作が行われたかどうかを検出するタグ集合体脱着操作検出手段を有し、前記タグ集合体脱着操作検出手段により前記タグ集合体を取り外す操作が行われたことを検出した場合に、前記情報送信手段は、前記初回タグ記憶用無線タグ回路素子の前記ＩＣ回路部に前記アクセス情報を送信し、前記記憶手段に記憶された前記タグ特性値に関わる情報の書き込みを行うことを特徴とする。
【００４７】
本願第１９発明においては、タグ集合体をタグ集合体装着部から取り外す操作が行われた際に、タグ集合体に備えられた初回タグ記憶用無線タグ回路素子のＩＣ回路部に対し記憶手段に記憶されたタグ特性値に関わる情報の書き込みを行う。すなわち、例えば無線タグラベル作成中（タグ集合体に収容される複数の無線タグ回路素子を全て使い終わる前）にタグ集合体をタグ集合体装着部から取り外した場合には、取り外す直前に記憶手段に記憶されている無線タグ回路素子のタグ特性値に関わる情報（すなわち次に最初にタグ集合体から供給される無線タグ回路素子のタグ特性値に関わる情報）が初回タグ記憶用無線タグ回路素子のＩＣ回路部に書き込まれるので、次にタグ集合体をタグ集合体装着部に装着した際に、第２読み取り手段で初回タグ記憶用無線タグ回路素子に記憶されたタグ特性値情報を読み取りその情報を用いることで、タグ集合体より最初に供給される無線タグ回路素子に対し当該特性値情報に合致した態様で通信を行うことができる。このようにして、タグ集合体を装着部から取り外した場合でも、次回装着時に最適な態様で無線通信を再開することができる。
【００４８】
第２０の発明は、上記第１９発明において、前記タグ集合体検出手段により前記タグ集合体が前記タグ集合体装着部に装着されたことを検出した場合に、前記記憶手段に記憶された前記タグ特性値に関わる情報と前記第２読み取り手段で前記初回タグ記憶用無線タグ回路素子から読み取った前記タグ特性値に関わる情報とが同一であるか否かを判定する第１カートリッジ同一性判定手段を有することを特徴とする。
【００４９】
これにより、タグ集合体が装着された際に、そのタグ集合体が取り外されたタグ集合体と同一であるかどうかを判定することができる。その結果、例えば異なるタグ集合体が装着された場合に、改めて初回タグ記憶用無線タグ回路素子から読み取ることにより、当該異なるタグ集合体の各無線タグ回路素子に対して異なる通信態様で通信を行うことを防止できる。また、操作者にその旨を報知し、操作者が期待していたタグ特性値ではなかった場合、正しいタグ集合体の装着を促すといったことが可能となる。
【００５０】
第２１の発明は、上記第１７乃至第２０発明のいずれかにおいて、電源が投入されたことを検出する電源投入検出手段を有し、前記第２読み取り手段は、前記電源投入検出手段で電源が投入されたことを検出した場合に、最初に供給される前記無線タグ回路素子の前記タグ特性値に関わる情報を前記初回タグ記憶用無線タグ回路素子のＩＣ回路部から読み取ることを特徴とする。
【００５１】
これにより、無線タグラベル作成時において、タグ集合体より最初に供給される無線タグ回路素子に対し情報の読み取り又は書き込みを行う際に、予めこれより前の電源投入時に第２読み取り手段で初回タグ記憶用無線タグ回路素子に記憶されたタグ特性値情報を読み取りその情報を用いることで、タグ集合体より最初に供給される無線タグ回路素子に対し当該特性値情報に合致した態様で通信を行うことができる。
【００５２】
第２２の発明は、上記第２１発明において、電源の遮断操作がなされたことを検出する電源遮断操作検出手段を有し、前記電源遮断操作検出手段により電源の遮断操作がなされたことを検出した場合に、前記情報送信手段は、前記初回タグ記憶用無線タグ回路素子の前記ＩＣ回路部に前記アクセス情報を送信し、前記記憶手段に記憶された前記タグ特性値に関わる情報の書き込みを行うことを特徴とする。
【００５３】
本願第２２発明においては、電源の遮断操作がなされた際に、タグ集合体に備えられた初回タグ記憶用無線タグ回路素子のＩＣ回路部に対し記憶手段に記憶されたタグ特性値に関わる情報の書き込みを行う。すなわち、例えば無線タグラベル作成中（タグ集合体に収容される複数の無線タグ回路素子を全て使い終わる前）に電源が遮断されたような場合には、電源がＯＦＦとなる直前に記憶手段に記憶されている無線タグ回路素子のタグ特性値に関わる情報（すなわち次の電源投入時に最初にタグ集合体から供給される無線タグ回路素子のタグ特性値に関わる情報）が初回タグ記憶用無線タグ回路素子のＩＣ回路部に書き込まれるので、次に電源を投入した際に、第２読み取り手段で初回タグ記憶用無線タグ回路素子に記憶されたタグ特性値情報を読み取りその情報を用いることで、タグ集合体より最初に供給される無線タグ回路素子に対し当該特性値情報に合致した態様で通信を行うことができる。このようにして、タグラベル作成中に電源をＯＦＦとした場合でも、次回電源投入時に最適な態様で無線通信を再開することができる。
【００５４】
第２３の発明は、上記第１７乃至第２２発明のいずれかにおいて、前記装置側アンテナは、前記無線タグ回路素子の前記ＩＣ回路部との間で無線通信により情報の送受信を行う第１装置側アンテナと、前記初回タグ記憶用無線タグ回路素子の前記ＩＣ回路部との間で無線通信により情報の送受信を行う第２装置側アンテナとを備えており、前記アクセス情報生成手段で生成した前記アクセス情報を送信するアンテナを前記第１装置側アンテナ又は前記第２装置側アンテナに切り替えるアンテナ切替手段を有することを特徴とする。
【００５５】
本願第２３発明においては、例えばタグ集合体をタグ集合体装着部に装着又はタグ集合体装着部から取り外した際には、アクセス情報を送信するアンテナをアンテナ切替手段で第２装置側アンテナに切替え、初回タグ記憶用無線タグ回路素子のＩＣ回路部との間で通信を行って、タグ集合体より最初に供給される無線タグ回路素子のタグ特性値に関わる情報の読み取りや、記憶手段に記憶されている無線タグ回路素子のタグ特性値に関わる情報の書き込みを行う。一方、無線タグラベル作成時には、アクセス情報を送信するアンテナをアンテナ切替手段で第１装置側アンテナに切替え、タグ集合体から所定順序で供給される各無線タグ回路素子のＩＣ回路部との間で通信を行い情報読み取り又は書き込みを行うことで、連続的に無線タグラベルを作成する。このように、無線タグラベル作成時においてアンテナ切替手段で適宜装置側アンテナを切り替えることにより、状況に応じた無線通信を行うことができる。
【発明の効果】
【００５６】
本発明によれば、無線タグラベルを高速に作成することができる。
【発明を実施するための最良の形態】
【００５７】
以下、本発明の一実施の形態を図面を参照しつつ説明する。
【００５８】
図１は、本実施形態のタグラベル作成装置が適用される無線タグ生成システムを表すシステム構成図である。
【００５９】
図１に示すこの無線タグ生成システム１において、本実施形態によるタグラベル作成装置（無線タグ情報通信装置）２は、有線あるいは無線による通信回線３を介してルートサーバ４、端末５、汎用コンピュータ６、及び複数の情報サーバ７に接続されている。
【００６０】
図２は、上記タグラベル作成装置２の詳細構造を表す概念的構成図である。
【００６１】
図２において、タグラベル作成装置２の装置本体８（装置側筐体）には、凹所としてのカートリッジホルダ部（図示せず）が設けられ、このホルダ部に、カートリッジ（タグ集合体）１００が着脱可能に取り付けられている。また、装置本体８には、閉じ状態で上記カートリッジホルダ部を覆うように装置本体８に回動可能に接続された開閉蓋ＯＣが設けられており、この開閉蓋ＯＣには、その閉じ状態で装置本体８の前方側面８ａを覆う前方側板ＯＣａが形成されており、この前方側板ＯＣａには係止穴５１が穿設されている。そして、装置本体８には、開閉蓋ＯＣの閉じ状態でその係止穴５１へ係止ピン５２を挿脱可能に駆動するロック用ソレノイド５３が設けられている。
【００６２】
装置本体８は、第２ロール１０４から繰り出されるカバーフィルム１０３に所定の印字（印刷）を行う印字ヘッド（サーマルヘッド）１０と、カバーフィルム１０３への印字が終了したインクリボン１０５を駆動するリボン巻取りローラ駆動軸１１と、カバーフィルム１０３と第１ロール１０２から繰り出される基材テープ（タグテープ）１０１とを貼り合わせつつ印字済タグラベル用テープ１１０としてカートリッジ１００から繰り出すための圧着ローラ駆動軸１２と、基材テープ１０１に備えられる無線タグ回路素子Ｔo（詳細は後述）との間でＵＨＦ帯等の高周波を用いて無線通信により信号の送受を行うアンテナ１４（装置側アンテナ、第１読み取り手段、第１装置側アンテナ）と、カートリッジ１００に備えられる無線タグ回路素子ＴA（情報媒体、初回タグ記憶用無線タグ回路素子）との間で上記同様に無線通信により信号の送受を行うカートリッジアンテナ１９（第２装置側アンテナ）と、上記印字済タグラベル用テープ１１０を所定のタイミングで所定の長さに切断しラベル状の無線タグラベルＴ（詳細は後述）を生成するカッタ１５と、無線タグラベルＴを搬出口１６へと搬送し送出する送出ローラ１７と、上記搬出口１６における無線タグラベルＴの有無を検出するセンサ１８と、カートリッジ１００がカートリッジホルダ部に装着されているかどうかを検出するセンサ２０（タグ集合体検出手段）と、それらを収納するように外郭を構成し、カートリッジ１００を着脱可能に嵌合させる上記カートリッジホルダ部及び上記搬出口１６を備える筐体９とを有する。
【００６３】
上記センサ２０は、光の反射を利用した光学センサである。すなわち、制御回路３０からの信号により発光する発光ダイオードと、その発光のカートリッジ筐体１００Ａ（後述）の外周面による反射光を受光し対応する検出信号を制御回路３０に出力するフォトトランジスタとを備えて構成されている。なお、このセンサ２０としては、これ以外にも、例えばカートリッジ１００の装着に伴い押圧されるメカニカルスイッチを用いたセンサ等を用いてもよい。また、カートリッジの種別もこのセンサーで判別するようにしてもよい。
【００６４】
アンテナ１４は、一方側（この例では図２の紙面に向かって手前側）に指向性を備えた指向性アンテナ（この例ではいわゆるパッチアンテナ）で構成されるとともに上記第１ロール１０２の軸方向（図２の紙面に向かって奥側）近傍に配置されており、第１ロール１０２の基材テープ１０１の送り出し部分近傍領域Ｘと通信可能となるように配置されている。
【００６５】
一方、装置本体８はまた、上記アンテナ１４，カートリッジアンテナ１９を介し上記無線タグ回路素子Ｔo，ＴAへアクセス（書き込み又は読み取り）を行うための高周波回路２１と、無線タグ回路素子Ｔo，ＴAから読み出された信号を処理するための信号処理回路（アクセス情報生成手段）２２と、前述したリボン巻取りローラ駆動軸１１、圧着ローラ駆動軸１２を駆動するカートリッジ用モータ２３と、このカートリッジ用モータ２３の駆動を制御するカートリッジ駆動回路２４と、上記印字ヘッド１０への通電を制御する印刷駆動回路２５と、上記カッタ１５を駆動して切断動作を行わせるソレノイド２６と、そのソレノイド２６を制御するソレノイド駆動回路２７と、上記送出ローラ１７を駆動する送出ローラ用モータ２８と、上記高周波回路２１、信号処理回路２２、カートリッジ駆動回路２４、印刷駆動回路２５、ソレノイド駆動回路２７、送出ローラ駆動回路２９等を介し、タグラベル作成装置２全体の動作を制御するための制御回路（送信制御手段）３０と、上記ロック用ソレノイド５３を制御するロック用ソレノイド駆動回路５８とを有する。
【００６６】
制御回路３０は、いわゆるマイクロコンピュータであり、詳細な図示を省略するが、中央演算処理装置であるＣＰＵ、ＲＯＭ、及びＲＡＭ等から構成され、ＲＡＭの一時記憶機能を利用しつつＲＯＭに予め記憶されたプログラムに従って信号処理を行うようになっている。またこの制御回路３０は、入出力インターフェイス３１を介し例えば通信回線に接続され、この通信回線に接続された前述のルートサーバ４、他の端末５、汎用コンピュータ６、及び情報サーバ７等との間で情報のやりとりが可能となっている。
【００６７】
図３は、上記カートリッジ１００の詳細構造を説明するための説明図である。
【００６８】
この図３において、カートリッジ１００は、筐体１００Ａ（カートリッジ側筐体）と、この筐体１００Ａ内に配置され帯状の上記基材テープ１０１が巻回された上記第１ロール１０２と、上記基材テープ１０１と略同じ幅である透明な上記カバーフィルム１０３が巻回された上記第２ロール１０４と、上記インクリボン１０５（熱転写リボン、但しカバーフィルムが感熱テープで構成される場合は不要）を繰り出すリボン供給側ロール１１１と、印字後のリボン１０５を巻取るリボン巻取りローラ１０６と、上記基材テープ１０１と上記カバーフィルム１０３とを押圧し接着させ上記印字済タグラベル用テープとしつつ矢印Ａで示す方向にテープ送りをする（＝テープ送りローラとしても機能する）圧着ローラ１０７と、上記筐体１００Ａの外周面における前記装置本体８側のカートリッジアンテナ１９とほぼ向かい合う位置に設けられた無線タグ回路素子ＴAとを有する。
【００６９】
第１ロール１０２は、リール部材１０２ａの周りに、長手方向に複数の無線タグ回路素子Ｔoが所定の等間隔で順次配設された上記基材テープ１０１を巻回している。
【００７０】
基材テープ１０１はこの例では４層構造となっており（図３中部分拡大図参照）、内側に巻かれる側（図３中右側）よりその反対側（図３中左側）へ向かって、適宜の粘着材からなる粘着層１０１ａ、ＰＥＴ（ポリエチレンテレフタラート）等から成る色付きのベースフィルム１０１ｂ、適宜の粘着材からなる粘着層１０１ｃ、剥離紙１０１ｄの順序で積層され構成されている。
【００７１】
ベースフィルム１０１ｂの裏側（図３中左側）には、情報の送受信を行うアンテナ（タグ側アンテナ）１５２が一体的に設けられており、これに接続するように情報を更新可能に（書き換え可能rewritableに）記憶するＩＣ回路部１５１が形成され、これらによって無線タグ回路素子Ｔoが構成されている（無線タグ回路素子ＴAも同様）。
【００７２】
ベースフィルム１０１ｂの表側（図３中右側）には、後にカバーフィルム１０３を接着するための上記粘着層１０１ａが形成され、またベースフィルム１０１ｂの裏側（図３中左側）には、無線タグ回路素子Ｔoを内包するように設けた上記粘着層１０１ｃによって上記剥離紙１０１ｄがベースフィルム１０１ｂに接着されている。なお、この剥離紙１０１ｄは、最終的にラベル状に完成した無線タグラベルＴが所定の商品等に貼り付けられる際に、これを剥がすことで粘着層１０１ｃにより当該商品等に接着できるようにしたものである。
【００７３】
第２ロール１０４は、リール部材１０４ａの周りに上記カバーフィルム１０３を巻回している。第２ロール１０４より繰り出されるカバーフィルム１０３は、その裏面側（すなわち上記基材テープ１０１と接着される側）に配置された上記リボン供給側ロール１１１及び上記リボン巻取りローラ１０６で駆動されるリボン１０５が、上記印字ヘッド１０に押圧されることで当該カバーフィルム１０３の裏面に当接させられるようになっている。
【００７４】
リボン巻取りローラ１０６及び圧着ローラ１０７は、それぞれカートリッジ１００外に設けた例えばパルスモータである上記カートリッジ用モータ２３（前述の図２参照）の駆動力が上記リボン巻取りローラ駆動軸１１及び上記圧着ローラ駆動軸１２に伝達されることによって回転駆動される。
【００７５】
無線タグ回路素子ＴAには、基材テープ１０１に備えられる複数の無線タグ回路素子Ｔoのうち、最初に供給される（言い換えれば最初に情報の書き込みが行われる）無線タグ回路素子Ｔoのタグ特性値に関わる情報（ここでは無線タグ回路素子Ｔoの感度情報。以下、「タグ感度情報」と記載する）がそのＩＣ回路部１５１に記憶されており、制御回路３０がこのタグ感度情報を読み込み前記高周波回路２１を制御することにより、最初に供給される無線タグ回路素子Ｔoに対し最適な通信態様でアクセスする(書き込み又は読み取りを行う)ことができるようになっている（詳細は後述）。なお、上記タグ感度情報は、ＩＣ回路部１５１（チップ）自体の感度(動作可能な最小電力)とアンテナ１５２（後述）のゲインとが組み合わされた情報である。あるいは、基準となる書込みアンテナを使用したときの最小書込み電力情報あるいは最適書込み電力情報であってもよい。このタグ感度情報がわかれば、タグラベル作成装置のアンテナのゲインや指向性、アンテナから無線タグ回路素子までの距離に応じて、最適な書込み条件、読み取り条件を設定することができる。
【００７６】
上記構成のカートリッジ１００において、上記第１ロール１０２より繰り出された基材テープ１０１は、圧着ローラ１０７へと供給される。一方、第２ロール１０４より繰り出されるカバーフィルム１０３は、その裏面側（すなわち上記基材テープ１０１と接着される側）に配置されたリボン供給側ロール１１１及びリボン巻取りローラ１０６で駆動されるインクリボン１０５が上記印字ヘッド１０に押圧されて当該カバーフィルム１０３の裏面に当接させられる。
【００７７】
そして、カートリッジ１００が上記装置本体８のカートリッジホルダ部に装着されロールホルダ（図示せず）が離反位置から当接位置に移動されると、カバーフィルム１０３及びインクリボン１０５が印字ヘッド１０とプラテンローラ１０８との間に狭持されるとともに、基材テープ１０１及びカバーフィルム１０３が圧着ローラ１０７とサブローラ１０９との間に狭持される。そして、カートリッジ用モータ２３の駆動力によってリボン巻取りローラ１０６及び圧着ローラ１０７が矢印Ｂ及び矢印Ｄで示す方向にそれぞれ同期して回転駆動される。このとき、前述の圧着ローラ駆動軸１２と上記サブローラ１０９及びプラテンローラ１０８はギヤ（図示せず）にて連結されており、圧着ローラ駆動軸１２の駆動に伴い圧着ローラ１０７、サブローラ１０９、及びプラテンローラ１０８が回転し、第１ロール１０２から基材テープ１０１が繰り出され、上述のように圧着ローラ１０７へ供給される。一方、第２ロール１０４からはカバーフィルム１０３が繰り出されるとともに、上記印刷駆動回路２５により印字ヘッド１０の複数の発熱素子が通電される。この結果、カバーフィルム１０３の裏面に印字Ｒ（後述の図７参照）が印刷される。そして、上記基材テープ１０１と上記印刷が終了したカバーフィルム１０３とが上記圧着ローラ１０７及びサブローラ１０９により接着されて一体化され、印字済タグラベル用テープとして形成され、カートリッジ１００外へと搬出される。なお、カバーフィルム１０３への印字が終了したインクリボン１０５は、リボン巻取りローラ駆動軸１１の駆動によりリボン巻取りローラ１０６に巻取られる。また、第１ロール１０２の繰り出し近傍にはガイドローラ１２０が設けられており、第１ロール１０２の残量により外径が変化しても装置側のアンテナ１４と無線タグラベルＴの位置関係が所定の範囲となるように規制して、無線タグ回路素子Ｔoとの通信条件を一定に保つようになっている。
【００７８】
図４は、上記高周波回路２１の詳細機能を表す機能ブロック図である。この図４において、高周波回路２１は、制御回路３０により切り替えられるアンテナスイッチ（切替）回路３４１（アンテナ切替手段）と、このアンテナスイッチ回路３４１を経てアンテナ１４，１９を介し無線タグ回路素子Ｔo，ＴAに対して信号を送信する送信部（情報送信手段）３２と、アンテナ１４，１９により受信された無線タグ回路素子Ｔo，ＴAからの反射波を入力する受信部３３（第１読み取り手段）と、送受分離器３４とから構成される。
【００７９】
アンテナスイッチ回路３４１は、周知の高周波用ＦＥＴやダイオードを用いたスイッチ回路であり、制御回路３０からの選択信号によりアンテナ１４，１９のいずれかを送受分離器３４に接続するものである。
【００８０】
送信部３２は、無線タグ回路素子Ｔo，ＴAのＩＣ回路部１５１の無線タグ情報にアクセスする(書き込み又は読み取りを行う)ための搬送波を発生させる水晶振動子３５、ＰＬＬ（Phase Locked Loop）３６、及びＶＣＯ（Voltage Controlled Oscillator）３７と、上記信号処理回路２２から供給される信号に基づいて上記発生させられた搬送波を変調（この例では信号処理回路２２からの「ＴＸ＿ＡＳＫ」信号に基づく振幅変調）する送信乗算回路３８（但し振幅変調の場合は増幅率可変アンプ等を用いてもよい）と、その送信乗算回路３８により変調された変調波（無線タグ情報）を、制御回路３０からの「ＴＸ＿ＰＷＲ」信号によって増幅率を決定し増幅する可変送信アンプ３９とを備えている。そして、上記発生される搬送波は、好適にはＵＨＦ帯やマイクロ波帯の周波数を用いており、上記送信アンプ３９の出力は、送受分離器３４を介してアンテナスイッチ回路３４１を経てアンテナ１４，１９のいずれかに伝達されて無線タグ回路素子Ｔo，ＴAのＩＣ回路部１５１に供給される。なお、無線タグ情報は上記のように変調した信号に限られず、単なる搬送波のみの場合もある。
【００８１】
受信部３３は、アンテナ１４，１９により受信された無線タグ回路素子Ｔo，ＴAからの反射波と上記発生させられた搬送波とを乗算し復調する受信第１乗算回路４０と、その受信第１乗算回路４０の出力から必要な帯域の信号のみを取り出すための第１バンドパスフィルタ４１と、この第１バンドパスフィルタ４１の出力を増幅して第１リミッタ４２に供給する受信第１アンプ４３と、上記アンテナ１４，１９により受信された無線タグ回路素子Ｔo，ＴAからの反射波と上記発生された後に位相が９０°遅れた搬送波とを乗算する受信第２乗算回路４４と、その受信第２乗算回路４４の出力から必要な帯域の信号のみを取り出すための第２バンドパスフィルタ４５と、この第２バンドパスフィルタ４５の出力を入力するとともに増幅して第２リミッタ４６に供給する受信第２アンプ４７とを備えている。そして、上記第１リミッタ４２から出力される信号「ＲＸＳ−Ｉ」及び第２リミッタ４６から出力される信号「ＲＸＳ−Ｑ」は、上記信号処理回路２２に入力されて処理される。
【００８２】
また、受信第１アンプ４３及び受信第２アンプ４７の出力は、ＲＳＳＩ（Received  Signal  Strength  Indicator)回路４８にも入力され、それらの信号の強度を示す信号「ＲＳＳＩ」が信号処理回路２２に入力されるようになっている。このようにして、本実施形態のタグラベル作成装置２では、Ｉ−Ｑ直交復調によって無線タグ回路素子Ｔoからの反射波の復調が行われる。
【００８３】
なお、上記では特に説明しなかったが、本実施形態においては、アンテナスイッチ回路３４１がカートリッジアンテナ１９側に切り替えられたときの通信（カートリッジアンテナ１９と無線タグ回路素子ＴAとの通信）と、アンテナスイッチ回路３４１がアンテナ１４側に切り替えられたときの通信（アンテナ１４と無線タグ回路素子Ｔoとの通信）とが相互に混信するのを防ぐために、アンテナスイッチ回路３４１の切り替え位置に応じて通信プロトコルが変更されるように制御する。これにより、混信することなく所望の無線タグ回路素子にアクセスできるようになっている。なお、プロトコルを変更せずに、アンテナスイッチ回路３４１の切り替え位置に応じて無線タグ回路素子に対するアクセス周波数を（例えば１３ＭＨｚと９５０ＭＨｚといったように）変更するようにしてもよい。また、無線タグ回路素子ＴAのIDと無線タグ回路素子ＴoのIDとは一致しないようにし、無線タグ回路素子ＴAのIDを指定して読み取り書込みを行うことにより無線タグ回路素子Ｔoは反応しないので混信を防止できる。また、予め無線タグ回路素子Ｔoをスリープさせておいて無線タグ回路素子ＴAにアクセスするようにしてもよい。
【００８４】
図５は、上記無線タグ回路素子Ｔoの機能的構成を表す機能ブロック図である。この図５において、無線タグ回路素子Ｔoは、タグラベル作成装置２側のアンテナ１４とＵＨＦ帯等の高周波を用いて非接触で信号の送受信を行う上記アンテナ１５２と、このアンテナ１５２に接続された上記ＩＣ回路部１５１とを有している。
【００８５】
ＩＣ回路部１５１は、アンテナ１５２により受信された搬送波を整流する整流部１５３と、この整流部１５３により整流された搬送波のエネルギを蓄積し駆動電源とするための電源部１５４と、上記アンテナ１５２により受信された搬送波からクロック信号を抽出して制御部１５５に供給するクロック抽出部１５６と、所定の情報信号を記憶し得るメモリ部１５７と、上記アンテナ１５２に接続された変復調部１５８と、上記整流部１５３、クロック抽出部１５６、及び変復調部１５８等を介して上記無線タグ回路素子Ｔoの作動を制御するための上記制御部１５５とを備えている。
【００８６】
変復調部１５８は、アンテナ１５２により受信された上記タグラベル作成装置２のアンテナ１４からの通信信号の復調を行うと共に、上記制御部１５５からの応答信号に基づき、アンテナ１５２が受信した搬送波を変調し、アンテナ１５２より反射波として再送信する。
【００８７】
制御部１５５は、上記変復調部１５８により復調された受信信号を解釈し、上記メモリ部１５７において記憶された情報信号に基づいて返信信号を生成し、上記変復調部１５８により返信する制御等の基本的な制御を実行する。
【００８８】
クロック抽出部１５６は受信した信号からクロック成分を抽出して制御部１５５にクロックを抽出するものであり、受信した信号のクロック成分の速度に対応したクロックを制御部１５５に供給する。
【００８９】
なお、詳細な図示を省略するが、カートリッジ１００に設けられた無線タグ回路素子ＴAについても、上記無線タグ回路素子Ｔoと同様の構造であって、ＩＣ回路部１５１（図示せず）及びアンテナ１５２（図示せず）等が備えられている。
【００９０】
図６は、上記メモリ部１５７の記憶内容を概念的に示す図である。この図６に示すように、本実施形態では、第１ロール１０２から繰り出される基材テープ１０１に備えられる各無線タグ回路素子Ｔoの上記メモリ部１５７には、当該無線タグ回路素子Ｔo（第１無線タグ回路素子）の次に供給される（無線タグ情報の書き込みが行われる）無線タグ回路素子Ｔo（第２無線タグ回路素子）のタグ感度情報（図中「次書き込み条件」と記載）がそれぞれ記憶されている。なお、最初に供給される無線タグ回路素子Ｔoのタグ感度情報については、上述したようにカートリッジ１００に備えられる無線タグ回路素子ＴAに記憶されるようになっている。
【００９１】
図７（ａ）及び図７（ｂ）は、上述のようにして無線タグ回路素子Ｔoの情報書き込み及び印字済タグラベル用テープ１１０の切断が完了し形成された無線タグラベルＴの外観の一例を表す図であり、図７（ａ）は上面図、図７（ｂ）は下面図である。また図８は、図７中VIII−VIII′断面による横断面図である。
【００９２】
これら図７（ａ）、図７（ｂ）、及び図８において、無線タグラベルＴは、図３に示した４層構造にカバーフィルム１０３が加わった５層構造となっており、カバーフィルム１０３側（図８中上側）よりその反対側（図８中下側）へ向かって、カバーフィルム１０３、粘着層１０１ａ、ベースフィルム１０１ｂ、粘着層１０１ｃ、剥離紙１０１ｄで５層を構成している。そして、前述のようにベースフィルム１０１ｂの裏側に設けられたアンテナ１５２を含む無線タグ回路素子Ｔoが粘着層１０１ｃ内に備えられるとともに、カバーフィルム１０３の裏面に印字Ｒ（この例では無線タグラベルＴの種類を示す「ＲＦ−ＩＤ」の文字）が印刷されている。
【００９３】
図９は、上述したようなタグラベル作成装置２による無線タグ回路素子ＴoのＩＣ回路部１５１の無線タグ情報へのアクセス(書き込み又は読み取り)に際して、上記した端末５又は汎用コンピュータ６に表示される画面の一例を表す図である。
【００９４】
図９において、この例では、タグラベルの種別（アクセス周波数及びテープ寸法）、無線タグ回路素子Ｔoに対応して印刷された印字文字Ｒ、その無線タグ回路素子Ｔoに固有のＩＤであるアクセス（書き込み又は読み取り）ＩＤ、上記情報サーバ７に記憶された物品情報のアドレス、及び上記ルートサーバ４におけるそれらの対応情報の格納先アドレス等が前記端末５又は汎用コンピュータ６に表示可能となっている。そして、その端末５又は汎用コンピュータ６の操作によりタグラベル作成装置２が作動されて、カバーフィルム１０３に上記印字文字Ｒが印刷されると共に、後述するようにＩＣ回路部１５１に上記書き込みＩＤ及び物品情報等の情報が書き込まれる（又はＩＣ回路部１５１に予め記憶された物品情報等の無線タグ情報が読みとられる）。
【００９５】
上記のような書き込み（又は読み取り）の際、生成された無線タグラベルＴのＩＤとその無線タグラベルＴのＩＣ回路部１５１から読みとられた情報（又はＩＣ回路部１５１に書き込まれた情報）との対応関係は、前述のルートサーバ４に記憶され、必要に応じて参照できるようになっている。
【００９６】
ここで、本実施形態のタグラベル作成装置２の最も大きな特徴は、制御回路３０が無線タグ回路素子ＴAに記憶された最初に供給される無線タグ回路素子Ｔoのタグ感度情報を読み込み高周波回路２１を制御するとともに、その後に供給される無線タグ回路素子Ｔoについては、先行して供給される無線タグ回路素子ＴoのＩＣ回路部１５１に記憶されたその次に供給される無線タグ回路素子Ｔoのタグ感度情報を読み込み高周波回路２１を制御することにより、各無線タグ回路素子Ｔoに対して最適な通信態様でアクセスできるようにしたことにある。以下、この詳細について図１０を用いて説明する。
【００９７】
図１０は、上述した最適通信態様による各無線タグ回路素子Ｔoへのアクセス、すなわち、無線タグ回路素子ＴAに記憶された最初に供給される無線タグ回路素子Ｔoのタグ感度情報を読み込むとともに、その後に供給される無線タグ回路素子Ｔoについては先行して供給される無線タグ回路素子ＴoのＩＣ回路部１５１に記憶されたその次に供給される無線タグ回路素子Ｔoのタグ感度情報を読み込み、最適な通信態様となるように高周波回路２１を制御した上で無線タグ回路素子Ｔoへのアクセスをする際に、制御回路３０によって実行される制御手順を表すフローチャートである。
【００９８】
この図１０において、タグラベル作成装置２の電源が投入されるとこのフローが開始される。
【００９９】
まず、ステップＳ５では、無線タグ回路素子Ｔｏからの応答がなく、リトライ（再試行）を行った回数をカウントする変数Ｎ、及び通信良好か不良かを表すフラグＦを０に初期化する。
【０１００】
次のステップＳ１０では、カートリッジ１００がカートリッジホルダ部に装着されているかどうかを判定する。すなわち、上記センサ２０からカートリッジ１００の装着状態に対応する検出信号が入力されたかどうかを判定する。カートリッジ１００がカートリッジホルダ部に装着された場合には、判定が満たされて次のステップＳ２０に移る。
【０１０１】
ステップＳ２０では、上記ロック用ソレノイド駆動回路５８に蓋ロックに対応する制御信号を出力してロック用ソレノイド５３を制御し、係止ピン５２を係止穴５２に挿通させて開閉蓋ＯＣをロックさせる。
【０１０２】
次のステップＳ３０では、タグアクセスをカートリッジ側に切替えるとともに、無線タグ回路素子ＴAに記憶されている情報、すなわち最初に供給される無線タグ回路素子Ｔoのタグ感度情報を読み込む。具体的には、アンテナスイッチ回路３４１に選択信号を出力し、カートリッジアンテナ１９が送受分離器３４に接続されるようにアンテナスイッチ回路３４１を切替える。そして、無線タグ回路素子ＴAのメモリ部１５７内に記憶された最初に供給される無線タグ回路素子Ｔoのタグ感度情報を読み込む。
【０１０３】
次のステップＳ４０では、タグアクセスをテープ側に切替えるとともに、上記ステップＳ３０で読み込んだタグ感度情報に応じ、書き込み条件の設定を行う。具体的には、アンテナスイッチ回路３４１に選択信号を出力し、アンテナ１４が送受分離器３４に接続されるようにアンテナスイッチ回路３４１を切替えるとともに、上記高周波回路２１の送信部３２に備えられる可変送信アンプ３９に「ＴＸ＿ＰＷＲ」信号を出力し、送信部３２の無線タグ回路素子Ｔoに対するアクセスパワー（出力電力量）値を上記ステップＳ３０で読み出したタグ感度情報に応じた値に設定する。
【０１０４】
次のステップＳ５０では、上記端末５又は汎用コンピュータ６を介して入力操作された、印字ヘッド１０により無線タグラベルＴへ印字すべき印字情報が、通信回線３及び入出力インターフェイス３１を介し読み込まれる。
【０１０５】
次のステップＳ６０では、上記端末５又は汎用コンピュータ６を介して入力操作された、アンテナ１４より無線タグ回路素子ＴoのＩＣ回路部１５１へ書き込むべき無線タグ情報が、通信回線３及び入出力インターフェイス３１を介し読み込まれる。
【０１０６】
次のステップＳ７０では、テープ搬送を開始させ、テープ上の印字開始位置が印字ヘッド１０の位置に到達したかどうかを判定する。具体的には、カートリッジ駆動回路２４に制御信号を出力し、カートリッジ用モータ２３の駆動力によってリボン巻取りローラ１０６及び圧着ローラ１０７を回転駆動させる。これにより、第１ロール１０２から基材テープ１０１が繰り出され圧着ローラ１０７へ供給されるとともに、第２ロール１０４からはカバーフィルム１０３が繰り出される。さらに送出ローラ駆動回路２９を介して送出ローラ用モータ２８に制御信号を出力し、送出ローラ１７を回転駆動させる。以上の結果、基材テープ１０１と印刷が終了したカバーフィルム１０３とが上記圧着ローラ１０７及びサブローラ１０９により接着されて一体化され、印字済タグラベル用テープ１１０としてカートリッジ体１００外方向へと搬送されていくように、各テープ１０１，１０３，１１０が駆動開始される。そして、テープ上の印字開始位置が印字ヘッド１０の位置に到達したかどうかを、例えば剥離紙１０１ｄに設けられたマーカーを図示しない光学センサで検出すること等によって行う。テープ上の印字開始位置が印字ヘッド１０の位置に到達した場合には、判定が満たされて次のステップＳ８０に移る。なお、上記に限られず、入出力インターフェイス３１を介して上記端末５又は汎用コンピュータ６を介して入力操作された印字開始コマンドが来たかどうかを判定するようにしてもよい。
【０１０７】
ステップＳ８０では、印字を開始する。すなわち、印刷駆動回路２５に制御信号を出力し、印字ヘッド１０を通電して、カバーフィルム１０３のうち所定の領域（例えば基材テープ１０１に所定ピッチで等間隔で配置された無線タグ回路素子Ｔoの裏面に貼り合わせることとなる領域）に、先のステップＳ５０で読み込んだ文字、記号、バーコード等の印字Ｒを印刷させる。
【０１０８】
次のステップＳ９０では、無線タグ回路素子Ｔoに記憶された、その次に供給される無線タグ回路素子Ｔoのタグ感度情報を読み出す。具体的には、無線タグ回路素子Ｔoに記憶された情報を読み出す「Scroll All ID」コマンドを信号処理回路２２に出力し、これに基づき信号処理回路２２で無線タグ情報としての「Scroll All ID」信号が生成されて高周波回路２１を介して読み取り対象の無線タグ回路素子Ｔoに送信され、返信を促すことによって行う。
【０１０９】
次のステップＳ１００では、上記ステップＳ９０で読み出した次の無線タグ回路素子Ｔoのタグ感度情報を、図示しないＲＡＭ等の記憶手段に記憶させる。
【０１１０】
次のステップＳ１１０では、上記ステップＳ９０及びステップＳ１００で読出し記憶させた次の無線タグ回路素子Ｔoのタグ感度情報を、当該タグ感度情報が記憶されていた無線タグ回路素子Ｔoから消去する。
【０１１１】
次のステップＳ１２０では、無線タグ情報を無線タグ回路素子Ｔoに送信し書き込む書き込み処理を行う（詳細は後述の図１１を参照）。
【０１１２】
次のステップＳ１３０では、フラグＦ＝０であるかどうかが判定される。書き込み処理が正常に完了していればＦ＝０のまま（後述の図１１に示すフローのステップＳ１２８参照）であるので、この判定が満たされ、ステップＳ１４０に移る。一方、何らかの理由で書き込み処理が正常に完了していない場合はＦ＝１とされている（後述の図１１に示すフローのステップＳ１２８参照）のでこの判定が満たされず、ステップＳ１４５に移り、印刷駆動回路２５に制御信号を出力して印字ヘッド１０を通電を中止し印字を停止させる。このように印字中途停止によって当該無線タグ回路素子Ｔoが正常品でないことを明らかに表示するようにした後、後述のステップＳ１６０へ移る。
【０１１３】
ステップＳ１４０では、上記ステップＳ１２０で無線タグ回路素子Ｔoへ書き込んだ無線タグ情報と、これに対応して印字ヘッド１０により印字された印字情報との組み合わせが、入出力インターフェイス３１及び通信回線３を介し端末５又は汎用コンピュータ６を介して出力され、情報サーバ７やルートサーバ４に記憶される。なお、この記憶データは必要に応じて端末５又は汎用コンピュータ６より参照可能に例えばデータベース内に格納保持される。
【０１１４】
その後、ステップＳ１５０で、カバーフィルム１０３のうちこの時点で処理対象としている無線タグ回路素子Ｔoに対応する領域への印字がすべて完了しているかどうかを確認した後、ステップＳ１６０へ移る。
【０１１５】
ステップＳ１６０では、先のステップＳ１００で図示しないＲＡＭ等の記憶手段に記憶させた次の無線タグ回路素子Ｔoのタグ感度情報を、読み出す。
【０１１６】
次のステップＳ１７０では、カートリッジ１００をカートリッジホルダ部から取り外す操作がなされたかどうかを判定する。具体的には、例えば操作者により図示しない開閉蓋ＯＣを開かせるための開ボタンが押され、その操作信号が入力されたかどうかを判定する。カートリッジ１００の取り外し操作がなされた場合には、判定が満たされて次のステップＳ１８０に移る。
【０１１７】
ステップＳ１８０では、タグアクセスをカートリッジ側に切替えるとともに、上記ステップＳ１６０で読み出した次の無線タグ回路素子Ｔoのタグ感度情報をカートリッジ筐体１００Ａに設けられた無線タグ回路素子ＴAに書き込む書き込み処理を行う。具体的には、アンテナスイッチ回路３４１に選択信号を出力し、カートリッジアンテナ１９が送受分離器３４に接続されるようにアンテナスイッチ回路３４１を切替える。そして、上記ステップＳ１６０で読み出した次の無線タグ回路素子Ｔoのタグ感度情報を、無線タグ回路素子ＴAのメモリ部１５７に書き込む。この書き込み処理に関しては、先のステップＳ１２０（後述の図１１）と同様であるので、説明を省略する。
【０１１８】
次のステップＳ１９０では、上記ロック用ソレノイド駆動回路５８に蓋アンロックに対応する制御信号を出力してロック用ソレノイド５３を制御し、係止ピン５２を係止穴５２から引出させて開閉蓋ＯＣをアンロック状態とする。そして、ステップＳ５に戻る。
【０１１９】
なお、先のステップＳ１７０でカートリッジ１００の取り外し操作がなされていない場合には、判定が満たされずに次のステップＳ２００に移る。
【０１２０】
ステップＳ２００では、電源をオフとする操作がなされたかどうかを判定する。具体的には、例えば操作者によりタグラベル作成装置２の電源スイッチをオフとする操作がされたかどうかを判定する。電源オフ操作がされていない場合には、判定が満たされずにステップＳ４０に戻る。電源オフ操作がされた場合には、判定が満たされてステップＳ２１０に移る。
【０１２１】
ステップＳ２１０では、上記ステップＳ１８０と同様の手順を行う。すなわち、タグアクセスをカートリッジ側に切替えるとともに、上記ステップＳ１６０で読み出した次の無線タグ回路素子Ｔoのタグ感度情報をカートリッジ筐体１００Ａに設けられた無線タグ回路素子ＴAに書き込む書き込み処理を行う。
【０１２２】
次のステップＳ２２０では、上記ロック用ソレノイド駆動回路５８に蓋アンロックに対応する制御信号を出力してロック用ソレノイド５３を制御し、係止ピン５２を係止穴５２から引出させて開閉蓋ＯＣをアンロック状態とする。そして、次のステップＳ２３０で、タグラベル作成装置２の電源をオフとし、本フローを終了する。
【０１２３】
以上説明したように、本実施形態のタグラベル作成装置２においては、例えば電源投入後カートリッジ１００の取外し操作や電源オフ操作を行わない場合には、上記ステップＳ４０〜ステップＳ１７０→ステップＳ２００→ステップＳ４０を繰り返す。これにより、先行して供給される無線タグ回路素子ＴoのＩＣ回路部１５１に記憶されたその次に供給される無線タグ回路素子Ｔoのタグ感度情報を読み込みつつ、各無線タグ回路素子Ｔoに対し最適な通信態様となるように高周波回路２１を制御した上で各無線タグ回路素子Ｔoへの書き込みを行えるようになっている。
【０１２４】
一方、タグラベル作成中にカートリッジ１００の取り出し操作や電源オフ操作が行われた場合であっても、上記ステップＳ１８０又はステップＳ２１０においてその操作が行われた際にＲＡＭ等に記憶された次の無線タグ回路素子Ｔoのタグ感度情報を、無線タグ回路素子ＴAのメモリ部１５７に書き込む。これにより、次にカートリッジ１００をカートリッジホルダ部に装着した際や電源を投入した際には、上記ステップＳ３０において無線タグ回路素子ＴAから次の無線タグ回路素子Ｔoのタグ感度情報が読み込まれ、その後に供給される各無線タグ回路素子Ｔoに対しても引き続き最適な通信態様となるように高周波回路２１を制御した上で各無線タグ回路素子Ｔoへの書き込みを行えるようになっている。
【０１２５】
なお、上記では説明を省略したが、ステップＳ１５０で印字完了した後には、所定の切断位置において、カートリッジ駆動回路２４及び送出ローラ駆動回路２９に制御信号を出力することによりカートリッジ用モータ２３及び送出ローラ用モータ２８の駆動を停止して印字済タグラベル用テープ１１０の搬送を停止させ、ソレノイド駆動回路２７に制御信号を出力してソレノイド２６を駆動することによりカッタ１５によって印字済タグラベル用テープ１１０の切断を行う。これによって、所定の無線タグ情報が書き込まれかつこれに対応する所定の印字が行われたラベル状の無線タグラベルＴが生成される。
【０１２６】
また、上記では印字を開始した後に無線タグ情報の書き込みを行うようにしたが、これに限られず、タグラベル作成装置２におけるアンテナ１４と印字ヘッド１０の配置関係に応じ、手順を反対としてもよい。すなわち、無線タグ情報の書き込みを開始した後に印字を開始するようにしてもよい。
【０１２７】
図１１は、上記ステップＳ１２０の詳細手順を表すフローチャートである。
【０１２８】
図１１において、図１０における前述のステップＳ１１０が終了すると、まずステップＳ１２１に移り、所望のデータをメモリ部１５７に書き込む「Program」コマンドを信号処理回路２２に出力する。これに基づき信号処理回路２２で本来書き込みたいＩＤ情報を含む無線タグ情報としての「Program」信号が生成されて高周波回路２１の送信部３２及びアンテナ１４を介して通信可能エリア内（前述の領域Ｘ内）にあるすべての無線タグ回路素子Ｔoに送信され、そのメモリ部１５７に情報が書き込まれる。
【０１２９】
その後、ステップＳ１２２において、メモリ部１５７の内容を確認する「Verify」コマンドを信号処理回路２２に出力する。これに基づき信号処理回路２２で無線タグ情報としての「Verify」信号が生成されて高周波回路２１の送信部３２及びアンテナ１４を介して上記通信可能エリア内の全無線タグ回路素子Ｔoに送信され、返信を促す。
【０１３０】
そして、ステップＳ１２３に移り、上記「Verify」信号に対応して上記通信可能エリア内の全無線タグ回路素子Ｔoから送信（返信）されたリプライ（応答）信号をアンテナ１４を介して受信し、高周波回路２１の受信部３３及び信号処理回路２２を介し取り込む。
【０１３１】
次に、ステップＳ１２４において、上記ステップＳ１２３の受信結果に基づき、上記通信エリア内の目的の無線タグ回路素子Ｔoから有効なリプライ信号（メモリ部１５７に正常に記憶されたことを表す信号）が受信されたかどうかを判定する。
【０１３２】
判定が満たされたら、上記領域Ｘ内の目的の無線タグ回路素子Ｔoには正しく書き込まれていることから、このルーチンを終了する。判定が満たされない場合はステップＳ１２５に移ってＮに１を加え、さらにステップＳ１２６においてＮ＝５かどうかが判定される。Ｎ≦４の場合は判定が満たされずステップＳ１２１に戻り同様の手順を繰り返す。Ｎ＝５の場合は前述したステップＳ１２７に移る。ステップＳ１２７では、エラー表示信号を入出力インターフェイス３１及び通信回線３を介し上記端末５又は汎用コンピュータ６へ出力し、対応する書き込み失敗（エラー）表示を行わせた後、ステップＳ１２８でフラグＦ＝１としてこのルーチンを終了する。このように、情報書き込みが不調でも５回までは再試行が行われることにより、書き込み信頼性の確保上、万全を期すことができる。
【０１３３】
なお、以上は、無線タグ回路素子ＴA及び各無線タグ回路素子Ｔoに無線タグ回路素子Ｔoの書き込み時のタグ感度情報を記憶させておき、このタグ感度情報に応じた最適アクセスパワーを設定した後に無線タグ回路素子Ｔoに対し無線タグ情報を送信しＩＣ回路部１５１に書き込みを行う場合を説明したが、これに限られず、最適アクセスパワーを設定した後に予め所定の無線タグ情報（タグ識別情報等）が書き換え不可に記憶保持されている読み取り専用の無線タグ回路素子Ｔoから無線タグ情報を読み取りながら、これに対応する印字を行って無線タグラベルＴを作成する場合がある。
【０１３４】
この場合には、無線タグ回路素子ＴA及び各無線タグ回路素子Ｔoに無線タグ回路素子Ｔoの読み込み時のタグ感度情報を記憶させておき、各無線タグ回路素子Ｔoに対して最適な通信態様で読み込みできるようにすればよい。すなわち、前述の図１０において、ステップＳ６０の書き込み情報の取得を削除し、ステップＳ４０，Ｓ９０，Ｓ１１０，Ｓ１６０，Ｓ１８０，Ｓ２１０で読み込み条件の設定、読出し、消去、書き込みを行い、ステップＳ１２０で無線タグ情報の読み込み処理を行うようにすればよい（詳細は後述の図１２参照）。その後ステップＳ１４０では印字情報とその読み込んだ無線タグ情報との組み合わせを保存する。
【０１３５】
図１２は、上記無線タグ読み取り処理の詳細手順を表すフローチャートである。
【０１３６】
この図１２において、情報読み取り対象とする無線タグ回路素子Ｔoがアンテナ１４近傍に搬送されてきたら、ステップＳ２２１において、無線タグ回路素子Ｔoに記憶された情報を読み出す「Scroll All ID」コマンドを信号処理回路２２に出力する。これに基づき信号処理回路２２で無線タグ情報としての「Scroll All ID」信号が生成されて高周波回路２１を介して読み取り対象の無線タグ回路素子Ｔoに送信され、返信を促す。
【０１３７】
次に、ステップＳ２２２において、上記「Scroll All ID」信号に対応して読み取り対象の無線タグ回路素子Ｔoから送信されたリプライ信号（タグＩＤ情報等を含む無線タグ情報）をアンテナ１４を介して受信し、高周波回路２１及び信号処理回路２２を介し取り込む。
【０１３８】
次に、ステップＳ２２３において、上記ステップＳ２２２で受信したリプライ信号に誤りがないか否かを公知の誤り検出符号（ＣＲＣ符号；Cyclic Redundancy Check等）を用いて判定する。
【０１３９】
判定が満たされない場合はステップＳ２２４に移ってＮに１を加え、さらにステップＳ２２５においてＮ＝５かどうかが判定される。Ｎ≦４の場合は判定が満たされずステップＳ２２１に戻り同様の手順を繰り返す。Ｎ＝５の場合はステップＳ２２６に移り、エラー表示信号を入出力インターフェイス３１及び通信回線３を介し上記端末５又は汎用コンピュータ６へ出力し、対応する読み取り失敗（エラー）表示を行わせた後、ステップＳ２２７でフラグＦ＝１としてこのルーチンを終了する。このように、情報読み取りが不調でも５回までは再試行が行われることにより、読み取り信頼性の確保上、万全を期すことができる。
【０１４０】
ステップＳ２２３の判定が満たされた場合、読み取り対象とする無線タグ回路素子Ｔoからの無線タグ情報の読み取りが完了し、このルーチンを終了する。
【０１４１】
以上において、制御回路３０（詳細には図１０に示すフロー中ステップＳ１７０）は請求項１９に記載のタグ集合体をタグ集合体装着部から取り外す操作が行われたかどうかを検出するタグ集合体脱着操作検出手段を構成する。また制御回路３０は請求項２１記載の電源が投入されたことを検出する電源投入検出手段を構成するとともに、制御回路３０（詳細には図１０に示すフロー中ステップＳ２００）は請求項２２記載の電源の遮断操作がなされたことを検出する電源遮断操作検出手段をも構成する。さらに、制御回路３０（詳細には図１６に示すフロー中ステップＳ３５）は、請求項２０記載の第１カートリッジ同一性判定手段を構成すると共に、請求項２３記載の第２カートリッジ同一性判定手段をも構成する。
【０１４２】
以上説明した本実施形態のタグラベル作成装置２においては、複数の無線タグ回路素子Ｔoが所定順序で供給可能に配置された基材テープ１０１が巻回される第１ロール１０２を有するカートリッジ１００から、所定順序で供給される各無線タグ回路素子Ｔoへ送受信を行い情報読み取り又は書き込みを行うことで、連続的に無線タグラベルＴを作成する。このとき、それら複数の無線タグ回路素子Ｔoにおいて、先行する無線タグ回路素子ＴoのＩＣ回路部１５１に、後の順序の無線タグ回路素子Ｔoのタグ特性値情報（本実施形態ではタグ感度情報）に関わる情報が記憶されている。したがって、後の順序の無線タグ回路素子Ｔoへの情報読み取り又は書き込みを行う際に、予めこれより前の無線タグ回路素子Ｔoより読み出された当該無線タグ回路素子Ｔoのタグ特性値情報を用いることで、当該特性値情報に合致した態様（本実施形態ではタグ感度情報に合致したアクセスパワー値）で通信を行うことができる。この結果、カートリッジ１００（第１ロール１０２）の製造時において、複数の無線タグ回路素子Ｔoそれぞれのタグ特性値データにばらつきが生じていたとしても、各無線タグ回路素子Ｔoごとに通信態様を制御して最適な通信態様を実現することができる。これにより、不適切な条件での書込みがなくなり、書込みエラーによる再書込み等が不要となり、条件を試行錯誤することがないので高速な無線タグラベルＴの作成が可能となる。また、例えば全無線タグ回路素子Ｔoにて一律のタグ特性値データにて通信を行う場合に比べて、エネルギの無駄や通信上の悪影響の発生を防止できるという効果もある。さらに、例えばタグ特性値データに応じて基材テープ１０１の搬送速度を変更するような場合に比べて、一定の搬送速度でタグラベル作成が可能となるので、印字ヘッド１０による印字の乱れを抑制することができる。
【０１４３】
また本実施形態では特に、カートリッジ１００の筐体１００Ａに無線タグ回路素子ＴAを設け、この無線タグ回路素子ＴAに第１ロール１０２から最初に供給される無線タグ回路素子Ｔoの感度に関わる情報を記憶させる。これにより、第１ロール１０２から最初に繰り出され供給される無線タグ回路素子Ｔoに対し情報の読み取り又は書き込みを行う際に、予めこれより前にカートリッジ筐体１００Ａに設けた無線タグ回路素子ＴAに記憶された感度情報を読み取り用いることで、当該最初に供給される無線タグ回路素子Ｔoに対し当該タグの感度に合致したアクセスパワーで通信を行うことができる。また、このように最初に供給される無線タグ回路素子Ｔoの感度に関わる情報を媒介する情報媒体として無線タグ回路素子ＴAを用いることで、情報の書き換えを自在に行うことができる。その結果、例えばカートリッジ筐体１００Ａ内の第１ロール１０２を交換するような場合にも、適宜感度情報の書き換えを行い対応することができる。
【０１４４】
また、本実施形態では特に、カートリッジ１００をカートリッジホルダ部から取り外す操作がなされた場合に無線タグ回路素子ＴAにそのときメモリに記憶されているタグ感度情報を書き込み、センサ２０でカートリッジの装着を検出した場合に無線タグ回路素子ＴAからタグ感度情報を読み込み、この情報を用いてアクセスパワーを設定する。これにより、例えば第１ロール１０２の基材テープ１０１に備えられる全無線タグ回路素子Ｔoを使い切らないうちにカートリッジ１００をカートリッジホルダ部から取り外したような場合でも、その際に無線タグ回路素子ＴAに次回装着時に最初に供給される無線タグ回路素子Ｔoのタグ感度情報を書き込んでおくことで、カートリッジ１００を次に装着した際に無線タグ回路素子ＴAに記憶されたタグ感度情報を読み込み用いることで、当該タグの感度に合致したアクセスパワーで通信を行うことができる。
【０１４５】
また、本実施形態では特に、タグラベル作成装置２の電源を遮断する操作がなされた場合に無線タグ回路素子ＴAにそのときメモリに記憶されているタグ感度情報を書き込み、タグラベル作成装置２の電源が投入された際に無線タグ回路素子ＴAからタグ感度情報を読み込み、この情報を用いてアクセスパワーを設定する。これにより、例えば第１ロール１０２の基材テープ１０１に備えられる全無線タグ回路素子Ｔoを使い切らないうちにタグラベル作成装置２の電源をオフとしたような場合でも、その際に無線タグ回路素子ＴAに次回電源投入時に最初に供給される無線タグ回路素子Ｔoのタグ感度情報を書き込んでおくことで、次にタグラベル作成装置２の電源を投入した際に無線タグ回路素子ＴAに記憶されたタグ感度情報を読み込み用いることで、当該タグの感度に合致したアクセスパワーで通信を行うことができる。
【０１４６】
なお、上記実施形態は、上記以外にも、その趣旨と技術思想の範囲を逸脱しない範囲でさらに種々の変形が可能である。以下、そのような変形例を順次説明する。
【０１４７】
（１）カートリッジに設ける情報媒体のバリエーション
上記実施形態においては、最初に供給される無線タグ回路素子Ｔoのタグ感度情報を媒介する情報媒体として無線タグ回路素子ＴAを用いるようにしたが、これに限られず、例えばＩＣカード等の接触型記憶素子や、ＲＯＭ・ＲＡＭ等のメモリ手段、又はバーコード等の記録手段を用いるようにしてもよい。例えば上記バーコードを用いる場合には、バーコードに記録された上記ルートサーバ４における最初に供給される無線タグ回路素子Ｔoのタグ感度情報の格納先アドレス等を図示しないバーコードスキャナで読み取り、制御回路３０がその格納先アドレスから通信回線３及び入出力インターフェイス３１を介し当該無線タグ回路素子Ｔoのタグ感度情報を読み込んで、その情報に応じ最適な通信態様となるように高周波回路２１の送信部３２を設定する。これにより、最初に供給される無線タグ回路素子Ｔoの感度に合致した通信態様でアクセスを行うことができる。
【０１４８】
（２）最初のタグに当該最初のタグと次のタグの感度情報を記憶させる場合
上記実施形態においては、カートリッジ１００の筐体１００Ａに無線タグ回路素子ＴAを設け、この無線タグ回路素子ＴAに第１ロール１０２から最初に供給される無線タグ回路素子Ｔoのタグ感度情報を書き込むようにしたが、これに限らない。すなわち、例えば最初に供給される無線タグ回路素子ＴoのＩＣ回路部１５１に、当該無線タグ回路素子Ｔoの（書き込み時における）タグ感度情報と、次に供給される無線タグ回路素子Ｔoのタグ感度情報とを記憶させるようにしてもよい。
【０１４９】
図１３は、本変形例における上記メモリ部１５７の記憶内容を概念的に示す図であり、前述の図６に対応する図である。この図１３に示すように、本変形例では、第１ロール１０２から繰り出される基材テープ１０１に備えられる各無線タグ回路素子Ｔoの上記メモリ部１５７には、当該無線タグ回路素子Ｔoの書き込み時におけるタグ感度情報（図中「書き込み条件」と記載）が記憶されるとともに、当該無線タグ回路素子Ｔoの次に供給される無線タグ回路素子Ｔoのタグ感度情報（図中「次書き込み条件」と記載）がそれぞれ記憶されている。
【０１５０】
本変形例によれば、第１ロール１０２より最初に供給される無線タグ回路素子Ｔoから次の無線タグ回路素子Ｔoのタグ感度情報の読み込みを行う際に、当該最初の無線タグ回路素子Ｔoの書き込み時のタグ感度情報を併せて読み取ることができるので、その後当該最初の無線タグ回路素子Ｔoに対し無線タグ情報の書き込みを行う際には、読み取ったタグ感度情報を用いてタグ感度に合致したアクセスパワーで書き込みを行うことができる。また、本変形例によれば、最初に供給される無線タグ回路素子Ｔoのタグ感度情報を記憶させるための無線タグ回路素子ＴA及びこの無線タグ回路素子ＴAと通信を行うためのカートリッジアンテナ１９を設ける必要がなくなるので、構造の簡素化及びコストの低減を図ることができる。
【０１５１】
（３）無線タグ回路素子の残数を記憶させる場合
上記実施形態においては、前述の図６に示すように各無線タグ回路素子ＴoのＩＣ回路部１５１に当該タグのＩＤとその次に供給される無線タグ回路素子Ｔoのタグ感度情報とを記憶させるようにしたが、これに限られない。すなわち、例えば第１ロール１０２に巻回された基材テープ１０１に備えられる複数の無線タグ回路素子Ｔoのうちの供給可能な無線タグ回路素子Ｔoの残数に関わる情報（以下、「残数情報」と記載）を記憶させるようにしてもよい。
【０１５２】
図１４は、本変形例における上記メモリ部１５７の記憶内容を概念的に示す図であり、前述の図６に対応する図である。この図１４に示すように、本変形例では、第１ロール１０２から繰り出される基材テープ１０１に備えられる各無線タグ回路素子Ｔoの上記メモリ部１５７には、当該無線タグ回路素子Ｔoの次に供給される無線タグ回路素子Ｔoのタグ感度情報（図中「次書き込み条件」と記載）がそれぞれ記憶されるとともに、第１ロール１０２から供給される無線タグ回路素子Ｔoの残数情報が記憶されている。
【０１５３】
本変形例によれば、以上のように各無線タグ回路素子ＴoのＩＣ回路部１５１に次の無線タグ回路素子Ｔoのタグ感度情報とともに第１ロール１０２から供給される無線タグ回路素子Ｔoの残数情報を記憶させるので、各無線タグ回路素子Ｔoに対して最適な通信態様でアクセスできるという上記実施形態と同様の効果を得つつ、第１ロール１０２における残りの供給可能な無線タグ回路素子Ｔoの残数を把握しつつ無線タグラベルＴを作成できるという効果をも得ることができる。
【０１５４】
なお、本変形例では各無線タグ回路素子Ｔoに対し、タグＩＤの他に次の無線タグ回路素子Ｔoのタグ感度情報と残数情報との２項目を記憶させるため、ＩＣ回路部１５１のメモリ部１５７におけるメモリ使用量が比較的大きくなる。そこで、例えば残数情報については対数的な値で表現して記憶させるようにしてもよい。これにより、残数の桁数を圧縮でき、メモリ容量を節約することができる。
【０１５５】
（４）プリアンブル（周期用クロック）数を記憶させる場合
すなわち、各無線タグ回路素子ＴoのＩＣ回路部１５１に、次に供給される無線タグ回路素子Ｔoのタグ感度情報とともに、当該次に供給される無線タグ回路素子Ｔoとの通信開始時に送出するプリアンブル（周期用クロック）数に関わる情報（以下、「プリアンブル数情報」と記載）を記憶させるようにしてもよい。
【０１５６】
本変形例によれば、カートリッジ１００（第１ロール１０２）の製造時において、複数の無線タグ回路素子Ｔoそれぞれのタグ充電時定数にばらつきが生じていたとしても、無線タグラベルＴ作成時には各無線タグ回路素子Ｔoから次の無線タグ回路素子Ｔoのタグ感度情報とともにプリアンブル数情報を読み込むことで、各無線タグ回路素子Ｔoごとにプリアンブル数を制御して最適な通信態様を実現することができる。この結果、全無線タグ回路素子Ｔoに対して一律のプリアンブル数にて通信を行う場合に比べて、不必要なプリアンブルを送出する必要がなくなり、無線タグラベルＴの作成に要する時間を短縮できる。
【０１５７】
なお、上記プリアンブル数は、スペック上は１６サイクル（２サイクルで１ビットを表せば８ビット）以上が好ましいが、実力値としては６〜９サイクル（３〜４．５ビット）程度で十分であるので、各無線タグ回路素子Ｔoに対するサイクル数あるいはビット数を記憶しておいてもよい。
【０１５８】
（５）次の無線タグ回路素子のタグＩＤ情報を記憶させる場合
すなわち、各無線タグ回路素子ＴoのＩＣ回路部１５１に、次に供給される無線タグ回路素子Ｔoのタグ感度情報とともに、当該次に供給される無線タグ回路素子ＴoのタグＩＤに関わる情報（以下、「タグＩＤ情報」と記載）の少なくとも一部を記憶させてもよい。これにより、無線タグラベルＴの作成時において、各無線タグ回路素子ＴoのＩＣ回路部１５１から読み出したその次の無線タグ回路素子ＴoのタグＩＤ情報を用い、当該次の無線タグ回路素子Ｔo以外の無線タグ回路素子Ｔoをスリープさせた上で、当該次の無線タグ回路素子Ｔoのみへの情報読み取り又は書き込みを行うことができる。この結果、読み取り又は書き込み対象である無線タグ回路素子Ｔoに対し、確実に読み取り又は書き込みを行うことができる。
【０１５９】
（６）ＩＤ情報の一部と感度情報等を兼用させる場合
すなわち、各無線タグ回路素子ＴoのＩＣ回路部１５１に記憶される固有のＩＤ情報の少なくとも一部と、次に供給される無線タグ回路素子Ｔoのタグ感度情報、プリアンブル数情報又はタグＩＤ情報、上記残数情報等とを共用させるようにしてもよい。これにより、無線タグラベルＴ作成時において、書込み対象である無線タグ回路素子ＴoのタグＩＤ情報を取得すると同時に次に供給される無線タグ回路素子Ｔoのタグ特性値に関わる情報や残数情報等も取得できるので、改めてそれらの情報を読み出す必要がなくなり、より高速に無線タグラベルＴを作成できる。また、無線タグ回路素子ＴoのＩＣ回路部１５１のメモリの使用量を節約できる効果もある。
【０１６０】
（７）最後の無線タグ回路素子にエンド情報を記憶させる場合
すなわち、第１ロール１０２に巻回された基材テープ１０１に備えられた複数の無線タグ回路素子Ｔoのうち最後に供給される無線タグ回路素子ＴoのＩＣ回路部１５１に、当該無線タグ回路素子Ｔoが最終のタグであることを示すエンド情報を記憶させるようにしてもよい。これにより、無線タグラベルＴの作成時において、最後に供給される無線タグ回路素子ＴoのＩＣ回路部１５１にアクセスした際に、当該無線タグ回路素子Ｔoが最終のタグであることを把握することができる。
【０１６１】
なおこの場合に、最後に供給される無線タグ回路素子Ｔoの後に供給される無線タグ回路素子Ｔoは存在しないため、当該最後に供給される無線タグ回路素子Ｔoにはタグ感度情報を記憶させる必要がないことから、上記エンド情報を上記最後に供給される無線タグ回路素子ＴoのＩＣ回路部１５１にタグ感度情報の代わりに記憶させる（すなわち、当該最後の無線タグ回路素子Ｔoにはエンド情報のみ記憶させる）ようにしてもよい。これにより、当該最後の無線タグ回路素子ＴoのＩＣ回路部１５１のメモリ部１５７のメモリ容量を消費することなく有効に使用することができる。
【０１６２】
（８）記憶させるタグ特性値情報のバリエーション
また、以上においては、無線タグ回路素子Ｔoの特性値情報としてタグ感度情報（ＩＣ回路部１５１の感度(動作可能な最小電力)とアンテナ１５２のゲインとの組合せ情報）を無線タグ回路素子ＴA及び無線タグ回路素子Ｔoに記憶するようにしたが、これに限られない。すなわち、特性値情報として、前述したＩＣ回路部１５１のメモリ部１５７のメモリ書込電圧、書込時間などのアクセス条件等を記憶するようにしてもよい。この場合にも、この無線タグ回路素子ＴAに記憶されたそれらアクセス条件情報を読み出し、そのメモリ書込電圧、書込時間などのアクセス条件に対応するように高周波回路２１の送信部３２を設定することにより、当該無線タグ回路素子Ｔoに合致した通信態様でアクセスを行うことができる。
【０１６３】
さらに、メモリ部１５７のメモリ容量の大小で所要エネルギが変化するため、メモリ容量に応じて書き込み時に必要な書き込み電力が変わる。この意味で、最適な所要電力となるように制御するためには「メモリ容量」も特性値情報に含まれ、これを無線タグ回路素子ＴA及び無線タグ回路素子Ｔoに記憶するようにしてもよい。
【０１６４】
またさらに、例えば図１５に示すように、無線タグ回路素子Ｔoがテープ幅方向に複数列配置され、各無線タグ回路素子列が、テープ長手方向一列に配置された複数の無線タグ回路素子Ｔoのテープ長手方向位置が互いに重ならないようにずらして配置（いわゆる千鳥配置）された基材テープ１０１′が巻回された第１ロール１０２′が収納されたカートリッジ１００′（図示せず）を用いるような場合には、タグ特性値情報として、タグ感度情報に加えて、次に供給される無線タグ回路素子Ｔoの上記アンテナ１５２のテープ幅方向位置に関わる情報（以下、「アンテナ位置情報」と記載）を記憶させるようにしてもよい。
【０１６５】
このように無線タグ回路素子Ｔoが千鳥配置された基材テープ１０１′に対し送受信を行い情報の読み取り又は書き込みを行うことで、連続的に無線タグラベルＴを作成する場合、各無線タグ回路素子Ｔoに対し送受信を行う装置側のアンテナ１４と基材テープ１０１′に千鳥配置されている各無線タグ回路素子Ｔoのアンテナ１５２との距離が、各無線タグ回路素子Ｔoごとに異なることになる（図１５中Ｌ１，Ｌ２参照）。
【０１６６】
このとき、本変形例においては、上記したように各無線タグ回路素子ＴoのＩＣ回路部１５１に次に供給される無線タグ回路素子Ｔoのアンテナ位置情報をそれぞれ記憶させているので、無線タグラベルＴの作成時において、次の無線タグ回路素子Ｔoへの情報読み取り又は書き込みを行う際に、予めこれより前に対応する無線タグ回路素子Ｔoより読み出した次の無線タグ回路素子Ｔoのタグ感度情報及びアンテナ位置情報を用いることで、アンテナ１４と無線タグ回路素子ＴoのＩＣ回路部１５１のアンテナ１５２との距離に合致した最適な通信態様で通信を行うことができる。
【０１６７】
（９）カートリッジの同一性チェック機能を備えた場合
すなわち、カートリッジ１００の取り外し操作やタグラベル作成装置２の電源オフ操作が行われた場合に、次にカートリッジ１００が装着された際又はタグラベル作成装置２の電源が投入された際において、そのとき装着されているカートリッジ１００が取り外されたとき又は電源が遮断されたときのカートリッジと同一であるかどうかをチェックする機能を設けてもよい。
【０１６８】
図１６は本変形例における制御回路３０′（図示せず）によって実行される制御手順を表すフローチャートであり、前述の図１０に対応する図である。この図１６において、前述の図１０と同様の部分は同符号を付し説明を省略する。
【０１６９】
本フローと先の図１０に示すフローとが異なる点は、ステップＳ３５〜ステップＳ３７が加わった点である。すなわち、ステップＳ３５では、カートリッジ１００の取り外し操作が行われ、次にカートリッジ１００が装着された際において、そのとき装着されているカートリッジ１００が取り外されたときのカートリッジと同一であるかどうかを判定する。具体的には、ステップＳ３０でカートリッジ１００の無線タグ回路素子ＴAから読み出したタグ感度情報と、ステップＳ１００で図示しないＲＡＭ等の記憶手段に記憶させたタグ感度情報とが同一であるかどうかを判定する。同一である場合には、カートリッジ１００が同一であるとみなされて判定が満たされ、次のステップＳ４０に移る。一方、同一でない場合には、ステップＳ３６に移り、入出力インターフェイス３１を介して上記端末５又は汎用コンピュータ６に対して制御信号を出力し、カートリッジが同一でない旨の報知（表示等）を行わせる。
【０１７０】
次のステップＳ３７では、処理を続行する旨の操作入力が操作者により上記端末５又は汎用コンピュータ６において行われ、その操作信号が入出力インターフェイス３１を介して入力されたかどうかの判定を行う。入力された場合には、判定が満たされてステップＳ４０に移り、その異なるカートリッジを用いてタグラベルの作成を行う。一方、入力されなかった場合には、判定が満たされずにステップＳ１９０に移り、開閉蓋ＯＣをアンロック状態とする。これにより、操作者はカートリッジの交換が行える。
【０１７１】
本変形例によれば、カートリッジ１００の同一性をチェックすることができるので、例えば異なるカートリッジに交換された場合や、電源遮断中に異なるカートリッジに交換されたような場合等、当該異なるカートリッジの各無線タグ回路素子Ｔoに対して異なる通信態様で通信を行うことを防止できる。
【０１７２】
（１０）その他
（i）カートリッジを用いない場合
図１７は、カートリッジを用いない変形例によるタグラベル作成装置２′の詳細構造を表す概念的構成図であり、上記実施形態の図２に相当する図である。図２と同等の部分には同一の符号を付し、適宜説明を省略する。図１７において、この変形例では、装置本体８に、上記搬出口１６を備えた筐体９が設けられており、この筐体９に上記実施形態と同様のアンテナ１４、１９′が設けられている。
【０１７３】
アンテナ１４は、上記実施形態と同様、一方側（この例では図１７の紙面に向かって手前側）に指向性を備えた指向性アンテナ（パッチアンテナ）で構成されるとともに上記第１ロール１０２（タグテープロール、タグ集合体）の軸方向（図１７の紙面に向かって奥側）近傍に配置されており、第１ロール１０２の基材テープ１０１（タグテープ）の送り出し部分近傍領域Ｘと通信可能となるように配置されている。結果として、アンテナ１４は、搬出口１６を介し筐体９の外部へ排出された無線タグ回路素子Ｔoがその通信可能範囲外となるように構成されている。これにより、一旦搬出口１６から筐体９外部へ出た無線タグ回路素子Ｔoの無線タグ情報が初期化されたり、アンテナ１４から別の情報がさらに書き込まれたりするのを確実に防止するようになっている。なお、この目的のために、搬出口１６の周りは適宜のシールド手段が設けられている。
【０１７４】
カートリッジアンテナ１９′は、カートリッジ１００の筐体１００Ａに設けた無線タグ回路素子ＴAと向かい合うように配置された上記実施形態とは異なり、一方側（この例では図１７の紙面に向かって手前側）に指向性を備えた指向性アンテナ（パッチアンテナ）で構成されるとともに、上記第１ロール１０２のリール部材１０２ａの軸方向（図１７の紙面に向かって奥側）近傍に配置されており、リール部材１０２ａ（例えばリール部材１０２ａの一方側（この例では図１７の紙面に向かって手前側））に設けられた無線タグ回路素子ＴAと通信可能となるように配置されている。
【０１７５】
また、上記のようにカートリッジ１００が省略されカートリッジ１００に設けられていた各部材が直接筐体９に設けられているのに対応し、この例では、圧着ローラ駆動軸１２及びリボン巻取りローラ駆動軸１１は、上記実施形態のカートリッジ駆動回路２４により駆動制御されるカートリッジ用モータ２３に相当する圧着ローラ駆動回路２４′により駆動制御される圧着ローラ用モータ２３′によって駆動されるようになっている。
【０１７６】
また、本変形例では、カートリッジ１００がカートリッジホルダ部に装着されているかどうかを検出するセンサ２０の代わりに、第１ロール１０２が筐体９に装着されているかどうかを検出するセンサ２０′が設けられている。
【０１７７】
本変形例においても、無線タグ回路素子ＴAに記憶された最初に供給される無線タグ回路素子Ｔoのタグ感度情報をカートリッジアンテナ１９′を介して読み込み高周波回路２１を制御するとともに、その後に供給される無線タグ回路素子Ｔoについては、先行して供給される無線タグ回路素子ＴoのＩＣ回路部１５１に記憶されたその次に供給される無線タグ回路素子Ｔoのタグ感度情報を読み込み高周波回路２１を制御することにより、各無線タグ回路素子Ｔoに対して最適な通信態様でアクセスできるという上記実施形態と同様の効果を得る。
【０１７８】
また、タグラベル作成中に第１ロール１０２の取り出し操作やタグラベル作成装置２′の電源遮断操作が行われた場合であっても、その操作が行われた際にＲＡＭ等に記憶された次の無線タグ回路素子Ｔoのタグ感度情報を、無線タグ回路素子ＴAのメモリ部１５７に書き込む。これにより、次に第１ロール１０２を筐体９に装着した際や電源を投入した際には、無線タグ回路素子ＴAから次に最初に供給される無線タグ回路素子Ｔoのタグ感度情報が読み込まれるため、その後も引き続き最適な通信態様となるように高周波回路２１を制御した上で各無線タグ回路素子Ｔoへの書き込みを行えるようになっている。
【０１７９】
なお、カートリッジ１００を用いる構成の上記実施形態では無線タグ回路素子ＴAをカートリッジ１００の筐体１００Ａに設けるようにしたが、これに限られず、本変形例のように無線タグ回路素子ＴAをカートリッジ１００内におけるリール部材１０２ａに設けるようにしてもよい。この場合、前記カートリッジアンテナ１９を本変形例におけるカートリッジアンテナ１９′と同様に一方側（図２の紙面に向かって手前側）に指向性を備えた指向性アンテナ（パッチアンテナ）で構成すれば足りる。
【０１８０】
（ii）トレイ型カートリッジを用いる場合
上記実施形態においては、カートリッジとして、長手方向に複数の無線タグ回路素子Ｔoが順次形成された帯状の基材テープ１０１を巻き回す第１ロール１０２を備えたカートリッジ１００を備えた場合を例にとって説明したが、これに限られず、他のカートリッジの態様でもよい。
【０１８１】
図１８は、そのような変形例を表す概念的斜視図である。
【０１８２】
この図１８において、この変形例では、カートリッジとして略平箱状のトレイ部材９１（カートリッジ、タグ集合体）が設けられている。このトレイ部材９１の中に、それぞれに１つの無線タグ回路素子Ｔoが形成された平紙状の複数のラベル素材９２を、平積み方向に積層して収納する。トレイ部材９１の一側面（この例では図中奥側）に設けた取り出し口９１Ａより平紙状のラベル素材９２を１枚ずつ引き出すことで、複数の無線タグ回路素子Ｔoを順次取り出せるようになっている。トレイ部材９１より取り出した無線タグ回路素子Ｔoは、タグラベル作成装置２に備えられたアンテナ１４の対向位置に設定され、読み出しが行われる。
【０１８３】
トレイ部材９１の一側面（この例では図中左側）には無線タグ回路素子（第２無線タグ回路素子）ＴAが設けられている。この無線タグ回路素子ＴAは、トレイ部材９１をタグラベル作成装置２の前記装置本体８に取り付けた際に、装置本体８に設けられたカートリッジアンテナ１９とほぼ向かい合う位置となるように配設されている。
【０１８４】
本変形例においても、無線タグ回路素子ＴAに記憶された最初に供給される無線タグ回路素子Ｔoのタグ感度情報をカートリッジアンテナ１９を介して読み込み高周波回路２１を制御するとともに、その後に供給される無線タグ回路素子Ｔoについては、先行して供給される無線タグ回路素子ＴoのＩＣ回路部１５１に記憶されたその次に供給される無線タグ回路素子Ｔoのタグ感度情報を読み込み高周波回路２１を制御することにより、各無線タグ回路素子Ｔoに対して最適な通信態様でアクセスできるという上記実施形態と同様の効果を得る。
【０１８５】
（iii）貼り合わせを行わない場合
すなわち、特に図面を用いて説明はしないが、上記実施形態のように無線タグ回路素子Ｔoを備えた基材テープ１０１とは別のカバーフィルム１０３に印字を行ってこれらを貼り合わせるのではなく、タグテープに備えられたカバーフィルムに印字を行ういわゆるノンラミネートタイプのカートリッジに本発明を適用してもよい。この場合、複数の無線タグ回路素子Ｔoを感熱テープに設け、複数の発熱素子を有する印字ヘッドにより感熱テープの表面に印字を印刷するようにしてもよいし、上記実施形態のようなインクリボンを用いた印字としてもよい。
【０１８６】
本変形例においても、各無線タグ回路素子Ｔoに対して最適な通信態様でアクセスできるという上記実施形態と同様の効果を得る。
【０１８７】
（iv）タグラル作成装置単体がすべての機能を備える場合
すなわち、本変形例におけるタグラベル作成装置２は、データベースとして機能する何らかの記憶手段と、前述の図９に示すような印字文字やタグＩＤ等の表示を行う表示手段（ディスプレイ）、及び操作者が操作入力するための操作手段（キーボード、マウス、タッチパネル等）を備えている。この場合、印字情報、無線タグ回路素子Ｔoのアクセス（書き込み又は読み取り）ＩＤ、物品情報、及びそれらの情報が関連づけられた対応情報は、上記タグラベル作成装置２に備えられる記憶手段（データベース）に記憶される。
【０１８８】
本変形例によっても、各無線タグ回路素子Ｔoに対して最適な通信態様でアクセスできるという上記実施形態と同様の効果を得ることができる。
【０１８９】
（v）カートリッジ外で書き込み・読み取りを行う場合等
また、以上においては、カートリッジ１００等の内部を移動中の基材テープ１０１に対して無線タグ情報の書き込み・読み取りや印字を行う例を示したが、これに限られず、カートリッジ１００の外部を移動中の基材テープ１０１に対して無線タグ情報の書き込み・読み取りや印字を行うようにしてもよい。また、基材テープ１０１等を所定位置で停止させて（さらに読み取り・書き込みについては所定の搬送ガイドにて保持した状態としてもよい）上記印字や読み取り・書き込みを行うようにしてもよい。
【０１９０】
また、カートリッジ１００のようなタグラベル作成装置本体側に着脱可能なものにも限られず、装置本体側に着脱不能のいわゆる据え付け型あるいは一体型のものを用い、その中に上記第１ロール１０２を設けてもよい。この場合も同様の効果を得る。
【０１９１】
また、以上において、印字及び無線タグ回路素子Ｔoへのアクセス（読み取り又は書き込み）の終了した印字済みタグラベル用テープ１１０をカッタ１５で切断してタグラベルＴを作成した場合を例にとって説明したが、これに限られない。すなわち、ラベルに対応した所定の大きさに予め分離されたラベル台紙（いわゆるダイカットラベル）がロールから繰り出されるテープ上に連続配置されているような場合には、カッタ１５で切断しなくても、テープが排出口１６から排出されてきた後にラベル台紙（アクセス済みの無線タグ回路素子Ｔoが備えられかつ対応する印字がなされたもの）のみをテープから剥がしてタグラベルＴを作成しても良く、本発明はこのようなものに対しても適用できる。
【０１９２】
なお、以上で用いた「Scroll ID」信号、「Verify」信号、「Program」信号等は、ＥＰＣ  ｇｌｏｂａｌが策定した仕様に準拠しているものとする。ＥＰＣ  ｇｌｏｂａｌは、流通コードの国際機関である国際ＥＡＮ協会と、米国の流通コード機関であるＵｎｉｆｏｒｍｅｄ  Ｃｏｄｅ  Ｃｏｕｎｃｉｌ（ＵＣＣ）が共同で設立した非営利法人である。なお、他の規格に準拠した信号でも、同様の機能を果たすものであればよい。
【０１９３】
また、以上既に述べた以外にも、上記実施形態や各変形例による手法を適宜組み合わせて利用しても良い。
【０１９４】
その他、一々例示はしないが、本発明は、その趣旨を逸脱しない範囲内において、種々の変更が加えられて実施されるものである。
【図面の簡単な説明】
【０１９５】
【図１】本発明のタグラベル作成装置の一実施形態が適用される無線タグ生成システムを表すシステム構成図である。
【図２】本発明のタグラベル作成装置の一実施形態の詳細構造を表す概念的構成図である。
【図３】本発明のタグラベル作成装置の一実施形態に装着されるカートリッジの詳細構造を説明するための説明図である。
【図４】本発明のタグラベル作成装置の一実施形態に備えられる高周波回路の詳細機能を表す機能ブロック図である。
【図５】無線タグ回路素子の機能的構成を表す機能ブロック図である。
【図６】無線タグ回路素子のメモリ部の記憶内容を概念的に示す図である。
【図７】形成された無線タグラベルの外観の一例を表す上面図及び下面図である。
【図８】図７中VII−VII′断面による横断面図である。
【図９】端末又は汎用コンピュータに表示される画面の一例を表す図である。
【図１０】本発明のタグラベル作成装置の一実施形態に備えられる制御回路によって実行される制御手順を表すフローチャートである。
【図１１】図１０中ステップＳ１２０の詳細手順を表すフローチャートである。
【図１２】無線タグ読み取り処理の詳細手順を表すフローチャートである。
【図１３】最初のタグに最初と次のタグの感度情報を記憶させる変形例におけるメモリ部の記憶内容を概念的に示す図である。
【図１４】無線タグ回路素子の残数を記憶させる変形例におけるメモリ部の記憶内容を概念的に示す図である。
【図１５】無線タグ回路素子を千鳥配置とする変形例における基材テープ上の無線タグ回路素子の配置を説明するための図である。
【図１６】カートリッジの同一性チェック機能を備えた変形例における制御回路によって実行される制御手順を表すフローチャートである。
【図１７】カートリッジを用いない変形例によるタグラベル作成装置の詳細構造を表す概念的構成図である。
【図１８】トレイ型カートリッジを用いる変形例におけるカートリッジの概念的斜視図である。
【符号の説明】
【０１９６】
８        装置本体（装置側筐体）
１４      アンテナ（装置側アンテナ、第１読み取り手段、第１装置側アンテナ）
１９      アンテナ（第２装置側アンテナ）
２０      センサ（タグ集合体検出手段）
２２      信号処理回路（アクセス情報生成手段）
３０      制御回路（送信制御手段、タグ集合体脱着操作検出手段、電源投入検出手段、電源遮断操作検出手段、第１カートリッジ同一性判定手段、第２カートリッジ同一性判定手段）
３２      送信部（情報送信手段）
３３      受信部（第１読み取り手段）
９１      トレイ部材（カートリッジ、タグ集合体）
９２      ラベル素材
１００    カートリッジ（タグ集合体）
１００Ａ  筐体（カートリッジ側筐体）
１０１    基材テープ（タグテープ）
１０２    第１ロール（タグテープロール、タグ集合体）
１０２ａ  リール部材
１５１    ＩＣ回路部
１５２    アンテナ（タグ側アンテナ）
３４１    アンテナスイッチ回路（アンテナ切替手段）
Ｔo       無線タグ回路素子（第１無線タグ回路素子、第２無線タグ回路素子）
ＴA       無線タグ回路素子（情報媒体、初回タグ記憶用無線タグ回路素子）
【図１】
0004687970.tif 000002
【図２】
0004687970.tif 000003
【図３】
0004687970.tif 000004
【図４】
0004687970.tif 000005
【図５】
0004687970.tif 000006
【図６】
0004687970.tif 000007
【図７】
0004687970.tif 000008
【図８】
0004687970.tif 000009
【図９】
0004687970.tif 000010
【図１０】
0004687970.tif 000011
【図１１】
0004687970.tif 000012
【図１２】
0004687970.tif 000013
【図１３】
0004687970.tif 000014
【図１４】
0004687970.tif 000015
【図１５】
0004687970.tif 000016
【図１６】
0004687970.tif 000017
【図１７】
0004687970.tif 000018
【図１８】
0004687970.tif 000019